(57)【要約】【課題】  遊技者に不利益を与えないリール制御を行なう回胴式遊技機を提供する。【解決手段】スロットマシン等の回胴式遊技機において、遊技者のリール停止操作により当選した当選種類の特典を損ねてしまうことを回避できるリール制御を行なう。特に遊技者に遊技価値の大量消費を強いることを抑えることの可能な当選種類は、特典を得ることができるようリール制御を行なう。また一部のリールを停止した表示態様だけでは、最終的にどんな表示態様となるのか、あるいはいずれの当選種類に当選（落選）しているのか判別できないようにすることで遊技者が停止操作を全て終えるまで興趣を持続できることを可能とする。【選択図】    図１
2006305015.tif 000002
【特許請求の範囲】
【請求項１】
複数種類の図柄を含む図柄列を形成した帯が付された複数の可動表示体と、前記各可動表示体について前記図柄列の一部を構成する所定個数分の図柄群を遊技機本体の前面側にて表示可能とする図柄表示部とを備え、１回ごとのゲームについて所定数の遊技価値を掛けた状態で遊技者による始動操作を受け付けると、複数の前記可動表示体を一方向に回転させて図柄の表示を変動させ、この後、遊技者による複数回の停止操作を順次受け付けると、前記停止操作の受け付け順に前記可動表示体の回転を１つずつ停止させ、全ての前記可動表示体の回転が停止すると、前記図柄表示部内に表示された図柄群から構成される図柄の組み合わせ態様に基づいて１回のゲームごとに結果を判断する遊技機において、
１回のゲームごとに所定の内部抽選を行ない、当落の結果を判断する内部抽選手段と、
前記内部抽選の当選結果として、少なくとも所定当選種類と特定小役を規定するとともに、前記所定当選種類に対応する所定当選図柄および前記特定小役に対応する特定小役図柄を前記可動表示体のそれぞれに割り当てる当選図柄規定手段と、
前記各小役とは別に前記内部抽選の当選結果として特別当選種類を規定するとともに、前記特別当選種類に対応する特別当選図柄を前記可動表示体のそれぞれに割り当てる特別当選図柄規定手段と、
全ての前記可動表示体の停止時に前記所定当選図柄が前記図柄表示部内において特定の態様で停止すると、前記所定当選種類に対応した遊技特典を遊技者に付与する所定遊技特典付与手段と、
全ての前記可動表示体の停止時に、少なくとも特定の前記可動表示体について前記特定小役図柄が前記図柄表示部内において特定の態様で停止したことを条件に、前記特定小役に対応した数の遊技価値を遊技者に付与する特定遊技価値付与手段と、
全ての前記可動表示体の停止時に前記特別当選図柄が前記図柄表示部内において特定の態様で停止すると、一般的な通常遊技状態から遊技者にとって有利な特別遊技状態に移行させる特別遊技状態移行手段と、
前記可動表示体の回転を個々に停止させるべく個々の前記可動表示体について前記停止操作を受け付ける停止操作手段と、
前記可動表示体の停止時に前記図柄列の一部をなす３個の図柄を前記図柄表示部内に上下方向に表示させて、この表示された３個の図柄の表示位置を上から順に上段位置、中段位置、下段位置としてそれぞれ規定する図柄表示位置規定手段と、
１回のゲームに掛けられた遊技価値の数に応じて、前記図柄表示部内にて前記特定の態様として有効となる前記表示位置を規定する図柄表示位置有効手段と、
前記特定の可動表示体を特定可動表示体として規定し、かつ、遊技者による前記停止操作の手順として、前記特定可動表示体について第１番目に前記停止操作が行なわれる場合を通則操作手順として規定するとともに、前記停止操作手段により少なくとも１つの前記可動表示体の停止操作が受け付けられた時点で、前記通則操作手順により前記停止操作が行なわれたか否かを検出する通則操作手順検出手段と、
前記通則操作手順とは別に、遊技者による前記停止操作の手順として、前記特定可動表示体以外の前記可動表示体について第１番目に前記停止操作が行なわれる場合を非通則操作手順として規定するとともに、前記停止操作手段により少なくとも１つの前記可動表示体の停止操作が受け付けられた時点で、前記非通則操作手順により前記停止操作が行なわれたか否かを検出する非通則操作手順検出手段と、
前記特定可動表示体に付された図柄列中、前記特定可動表示体の回転に伴う移動方向でみて前記特定小役図柄が配置された位置よりも前の所定の位置に所定当選図柄を配置するとともに、前記所定の位置とは別に、前記特定可動表示体の回転に伴う移動方向でみて前記特定小役図柄が配置された位置よりも後ろの所定の位置に所定当選図柄を配置する所定当選図柄配置手段と、
前記内部抽選の当選結果が前記特定小役以外のいずれかに該当し、前記非通則操作手順検出手段により前記非通則操作手順が行なわれたことが検出され、前記特定可動表示体以外の前記可動表示体について前記停止操作が前記停止操作手段により受け付けられた場合、前記図柄表示部内に規定される３つの表示位置の中で限定された表示位置にのみ前記所定当選図柄を停止させるべく前記可動表示体の停止位置を制御する表示位置限定停止制御手段と、
前記内部抽選の結果が前記所定当選種類に該当し、前記表示位置限定停止制御手段により前記特定可動表示体以外の前記可動表示体の停止位置が制御された結果、前記図柄表示部内で限定された表示位置に前記所定当選図柄が停止した場合、前記特定可動表示体についての停止操作が前記停止操作手段により受け付けられると、少なくとも前記特定小役図柄が前記図柄表示部内の上段位置に到達する前に前記特定可動表示体の回転を停止させて前記特定小役図柄が特定の態様で停止することを回避するとともに、合わせて前記所定当選図柄を前記図柄表示部内の前記限定された表示位置に停止させることにより、前記所定当選図柄の組み合わせ態様を表示させる図柄前停止制御手段と、
前記内部抽選の結果が前記特別当選種類に該当し、前記表示位置限定停止制御手段により前記特定可動表示体以外の前記可動体の停止位置が制御された結果、前記図柄表示部内で限定された表示位置に前記所定当選図柄が停止した場合、前記特定可動表示体についての停止操作が前記停止操作手段により受け付けられると、少なくとも前記特定小役図柄が前記図柄表示部内の上段位置に到達する前に前記特定可動表示体の回転を停止させることにより、前記特定小役図柄が特定の態様で停止することを回避したうえで、前記所定当選図柄が前記図柄表示部内の前記限定された表示位置に停止することを回避するとともに、合わせて前記図柄表示部内でいずれの図柄についても特定の態様で停止することを許容しない図柄前特定態様不許容停止制御手段と、
前記内部抽選の結果が前記所定当選種類に該当し、前記表示位置限定停止制御手段により前記特定可動表示体以外の前記可動表示体の停止位置が制御された結果、前記図柄表示部内で限定された表示位置に前記所定当選図柄が停止した場合、前記特定可動表示体についての停止操作が前記停止操作手段により受け付けられると、前記可動表示体の回転に伴う移動方向でみて前記図柄表示部内の下段位置から少なくとも１個の図柄分だけ前記特定小役図柄が移動した位置で前記特定可動表示体の回転を停止させて前記特定小役図柄が特定の態様で停止することを回避するとともに、合わせて前記所定当選図柄を前記図柄表示部内の前記限定された表示位置に停止させることにより、前記所定当選図柄の組み合わせ態様を表示させる図柄後停止制御手段と、
前記内部抽選の結果が前記特別当選種類に該当し、前記表示位置限定停止制御手段により前記特定可動表示体以外の前記可動体の停止位置が制御された結果、前記図柄表示部内で限定された表示位置に前記所定当選図柄が停止した場合、前記特定可動表示体についての停止操作が前記停止操作手段により受け付けられると、前記可動表示体の回転に伴う移動方向でみて前記図柄表示部内の下段位置から少なくとも１個の図柄分だけ前記特定小役図柄が移動した位置で前記特定可動表示体の回転を停止させることにより、前記特定小役図柄が特定の態様で停止することを回避したうえで、前記所定当選図柄が前記図柄表示部内の前記限定された表示位置に停止することを回避するとともに、合わせて前記図柄表示部内でいずれの図柄についても特定の態様で停止することを許容しない図柄後特定態様不許容停止制御手段とを具備したことを特徴とする遊技機。
【発明の詳細な説明】
【技術分野】
【０００１】
本発明は、パチンコ遊技機、スロットマシン等で代表される遊技機に関する。
【背景技術】
【０００２】
スロットマシンに代表される回胴式遊技機では、従来からリールと呼ばれる複数の図柄表示体を用いて図柄を表示するとともに、遊技者の操作に応じてリールを回転・停止させ、全てのリールが停止したときの図柄の表示態様に応じて各種遊技特典の付与が行なわれるものとなっている。各種遊技特典の中には、１回のゲーム結果として遊技価値を付与するものの他に、遊技価値を新たに使用せずに次回のゲームを実行可能とする再ゲーム特典が含まれている（特許文献１参照）。
【０００３】
再ゲーム特典は、遊技者が消費する単位時間当りの遊技価値数をある程度一定に保つ調整ができる遊技特典であるから、遊技の習熟度に関わらず遊技者がもれなく再ゲーム特典を享受できる必要がある。このため特許文献１に示される先行技術では、再ゲーム特典に対応した図柄が１つのリール中に比較的多く含まれる図柄配列を採用することで確実な再ゲーム特典の享受を可能としつつ、他の遊技特典に対応した図柄の数が相対的に減少したとしても、それによって他の遊技特典の取りこぼしが発生することを防止するものとしている。
【特許文献１】特開２０００−１４０２１０号公報（第３頁、図１３）
【発明の開示】
【発明が解決しようとする課題】
【０００４】
しかしながら、近年の回胴式遊技機では、遊技者がリールの停止手順を型通り（一般的にほとんどの遊技者が行なう停止手順）に行なうことを前提としたリールの停止制御が一般的となっている。
【０００５】
また、遊技特典には、全てのリールが停止した際に単図柄（１つの図柄）のみが停止図柄態様となるだけで遊技特典（単図柄特典）を得ることができるものもある。
【０００６】
先行技術では、再ゲーム特典を付与することが遊技機の内部で決定されている場合（再ゲーム特典に当選）には、図柄（再ゲーム図柄）を有効ライン上で必ず揃うようにリールを停止させる制御が行なわれるため（特許文献１の図１３、Ｓ１２３、Ｓ１２４）、この際、回転中のリールについて、再ゲーム図柄と単図柄がともに停止図柄態様として表示可能な図柄配列上の位置で遊技者が停止操作をすると、再ゲーム図柄が揃ったのと同時に単図柄までも停止図柄態様として表示される虞がある。仮にこのような事態となった場合、１回のゲームについて遊技特典が２重に付与されることとなってしまい、回胴式遊技機の遊技性に矛盾が生じる。
【０００７】
あるいは、先行技術において単図柄を停止図柄態様として表示させることを回避することを優先した場合、再ゲーム図柄までもその影響を受けて、本来であれば、再ゲーム図柄が揃うはずの位置に停止することができずに、結果として再ゲーム図柄が揃えられなくなるという不利益を遊技者に与えてしまう。また既に２つの再ゲーム図柄が有効ラインに揃って停止した状態となっている場合（再ゲーム図柄がテンパイしている状態）、遊技者は再ゲーム図柄が揃うと思い安心して停止操作を行なったにもかかわらず、再ゲーム図柄がテンパイしている有効ライン上に停止せずに通り過ぎてしまう（あるいは有効ラインの手前で停止してしまう）という事態が生じてしまう。このような事態は、遊技者を非常に落胆させ、損をしたような不快感を与えてしまうものである。
【０００８】
以上の問題は、特に単図柄が有効となる（単図柄特典が得られる）リールを第１に停止させなかった場合（つまり型通りとは異なる停止手順）に顕著に生じるものである。
【０００９】
また遊技者の中には、型通りの停止手順に飽きてしまい、あえて型通りとは異なる停止手順を行ないたい、自分の好きな停止手順でリールを停止させたいと願う者も多く存在する。こうした遊技者の多くは、型通りとは異なる停止手順を試みてみるが、上記のような不利益を被ったり、あるいは、毎ゲームごとに同じような停止図柄態様が表示されることで興趣の減退を招いたりと、結局、元の型通りの停止手順に従わざるを得ないという遊技者が自由にゲームを楽しみたいという意欲を減退させていることも問題となっている。
【００１０】
本発明は、このような事態に鑑みて考え出されたものであり、遊技者が型通りと異なって停止手順を行なった場合でも、遊技意欲の減退を抑えることができる技術を提供しようとするものである。
【課題を解決するための手段】
【００１１】
本発明の技術は、上記課題を解決するために以下の手段を採った。
【００１２】
（解決手段１）
解決手段１は、複数種類の図柄を含む図柄列を形成した帯が付された複数の可動表示体と、前記各可動表示体について前記図柄列の一部を構成する所定個数分の図柄群を遊技機本体の前面側にて表示可能とする図柄表示部とを備え、１回ごとのゲームについて所定数の遊技価値を掛けた状態で遊技者による始動操作を受け付けると、複数の前記可動表示体を一方向に回転させて図柄の表示を変動させ、この後、遊技者による複数回の停止操作を順次受け付けると、前記停止操作の受け付け順に前記可動表示体の回転を１つずつ停止させ、全ての前記可動表示体の回転が停止すると、前記図柄表示部内に表示された図柄群から構成される図柄の組み合わせ態様に基づいて１回のゲームごとに結果を判断する遊技機において、１回のゲームごとに所定の内部抽選を行ない、当落の結果を判断する内部抽選手段と、前記内部抽選の当選結果として、少なくとも所定当選種類と特定小役を規定するとともに、前記所定当選種類に対応する所定当選図柄および前記特定小役に対応する特定小役図柄を前記可動表示体のそれぞれに割り当てる当選図柄規定手段と、前記各小役とは別に前記内部抽選の当選結果として特別当選種類を規定するとともに、前記特別当選種類に対応する特別当選図柄を前記可動表示体のそれぞれに割り当てる特別当選図柄規定手段と、全ての前記可動表示体の停止時に前記所定当選図柄が前記図柄表示部内において特定の態様で停止すると、前記所定当選種類に対応した遊技特典を遊技者に付与する所定遊技特典付与手段と、全ての前記可動表示体の停止時に、少なくとも特定の前記可動表示体について前記特定小役図柄が前記図柄表示部内において特定の態様で停止したことを条件に、前記特定小役に対応した数の遊技価値を遊技者に付与する特定遊技価値付与手段と、全ての前記可動表示体の停止時に前記特別当選図柄が前記図柄表示部内において特定の態様で停止すると、一般的な通常遊技状態から遊技者にとって有利な特別遊技状態に移行させる特別遊技状態移行手段と、前記可動表示体の回転を個々に停止させるべく個々の前記可動表示体について前記停止操作を受け付ける停止操作手段と、前記可動表示体の停止時に前記図柄列の一部をなす３個の図柄を前記図柄表示部内に上下方向に表示させて、この表示された３個の図柄の表示位置を上から順に上段位置、中段位置、下段位置としてそれぞれ規定する図柄表示位置規定手段と、１回のゲームに掛けられた遊技価値の数に応じて、前記図柄表示部内にて前記特定の態様として有効となる前記表示位置を規定する図柄表示位置有効手段と、前記特定の可動表示体を特定可動表示体として規定し、かつ、遊技者による前記停止操作の手順として、前記特定可動表示体について第１番目に前記停止操作が行なわれる場合を通則操作手順として規定するとともに、前記停止操作手段により少なくとも１つの前記可動表示体の停止操作が受け付けられた時点で、前記通則操作手順により前記停止操作が行なわれたか否かを検出する通則操作手順検出手段と、前記通則操作手順とは別に、遊技者による前記停止操作の手順として、前記特定可動表示体以外の前記可動表示体について第１番目に前記停止操作が行なわれる場合を非通則操作手順として規定するとともに、前記停止操作手段により少なくとも１つの前記可動表示体の停止操作が受け付けられた時点で、前記非通則操作手順により前記停止操作が行なわれたか否かを検出する非通則操作手順検出手段と、前記特定可動表示体に付された図柄列中、前記特定可動表示体の回転に伴う移動方向でみて前記特定小役図柄が配置された位置よりも前の所定の位置に所定当選図柄を配置するとともに、前記所定の位置とは別に、前記特定可動表示体の回転に伴う移動方向でみて前記特定小役図柄が配置された位置よりも後ろの所定の位置に所定当選図柄を配置する所定当選図柄配置手段と、前記内部抽選の当選結果が前記特定小役以外のいずれかに該当し、前記非通則操作手順検出手段により前記非通則操作手順が行なわれたことが検出され、前記特定可動表示体以外の前記可動表示体について前記停止操作が前記停止操作手段により受け付けられた場合、前記図柄表示部内に規定される３つの表示位置の中で限定された表示位置にのみ前記所定当選図柄を停止させるべく前記可動表示体の停止位置を制御する表示位置限定停止制御手段と、前記内部抽選の結果が前記所定当選種類に該当し、前記表示位置限定停止制御手段により前記特定可動表示体以外の前記可動表示体の停止位置が制御された結果、前記図柄表示部内で限定された表示位置に前記所定当選図柄が停止した場合、前記特定可動表示体についての停止操作が前記停止操作手段により受け付けられると、少なくとも前記特定小役図柄が前記図柄表示部内の上段位置に到達する前に前記特定可動表示体の回転を停止させて前記特定小役図柄が特定の態様で停止することを回避するとともに、合わせて前記所定当選図柄を前記図柄表示部内の前記限定された表示位置に停止させることにより、前記所定当選図柄の組み合わせ態様を表示させる図柄前停止制御手段と、前記内部抽選の結果が前記特別当選種類に該当し、前記表示位置限定停止制御手段により前記特定可動表示体以外の前記可動体の停止位置が制御された結果、前記図柄表示部内で限定された表示位置に前記所定当選図柄が停止した場合、前記特定可動表示体についての停止操作が前記停止操作手段により受け付けられると、少なくとも前記特定小役図柄が前記図柄表示部内の上段位置に到達する前に前記特定可動表示体の回転を停止させることにより、前記特定小役図柄が特定の態様で停止することを回避したうえで、前記所定当選図柄が前記図柄表示部内の前記限定された表示位置に停止することを回避するとともに、合わせて前記図柄表示部内でいずれの図柄についても特定の態様で停止することを許容しない図柄前特定態様不許容停止制御手段と、前記内部抽選の結果が前記所定当選種類に該当し、前記表示位置限定停止制御手段により前記特定可動表示体以外の前記可動表示体の停止位置が制御された結果、前記図柄表示部内で限定された表示位置に前記所定当選図柄が停止した場合、前記特定可動表示体についての停止操作が前記停止操作手段により受け付けられると、前記可動表示体の回転に伴う移動方向でみて前記図柄表示部内の下段位置から少なくとも１個の図柄分だけ前記特定小役図柄が移動した位置で前記特定可動表示体の回転を停止させて前記特定小役図柄が特定の態様で停止することを回避するとともに、合わせて前記所定当選図柄を前記図柄表示部内の前記限定された表示位置に停止させることにより、前記所定当選図柄の組み合わせ態様を表示させる図柄後停止制御手段と、前記内部抽選の結果が前記特別当選種類に該当し、前記表示位置限定停止制御手段により前記特定可動表示体以外の前記可動体の停止位置が制御された結果、前記図柄表示部内で限定された表示位置に前記所定当選図柄が停止した場合、前記特定可動表示体についての停止操作が前記停止操作手段により受け付けられると、前記可動表示体の回転に伴う移動方向でみて前記図柄表示部内の下段位置から少なくとも１個の図柄分だけ前記特定小役図柄が移動した位置で前記特定可動表示体の回転を停止させることにより、前記特定小役図柄が特定の態様で停止することを回避したうえで、前記所定当選図柄が前記図柄表示部内の前記限定された表示位置に停止することを回避するとともに、合わせて前記図柄表示部内でいずれの図柄についても特定の態様で停止することを許容しない図柄後特定態様不許容停止制御手段とを具備したことを特徴とする遊技機である。
【００１３】
本発明の遊技機は、上記の所定当選図柄配置手段とは別の構成として、前記特定可動表示体に形成され、前記特定可動表示体の回転に伴う移動方向でみて前記特定小役図柄が配置された位置よりも前の所定の位置に所定当選図柄が位置するとともに、前記所定の位置とは別に、前記特定可動表示体の回転に伴う移動方向でみて前記特定小役図柄が配置された位置よりも後ろの所定の位置に所定当選図柄が位置する図柄配列を有する。
【００１４】
本発明の遊技機では、遊技価値を掛けた状態で遊技者が始動操作をすると複数の可動表示体が回転し、この後、遊技者の停止操作によって全ての可動表示体の回転が停止すると、図柄表示部内に停止した図柄群から構成される図柄の組み合わせ態様によってゲームの結果が判断される。つまり、本発明の遊技機における１回のゲームは、遊技価値を掛けた状態にし、次いで停止している状態の可動表示体を回転させ、この後、可動表示体の回転を停止させ、そして全ての可動表示体の停止時に必ず結果を判断するという一連の過程から成り立っている。したがって、全ての可動表示体の停止時に結果の判断が１度行われると、この後に遊技価値を掛けた状態にしたり、可動表示体を回転させたりする過程は、その次のゲームということになる。
【００１５】
１回のゲームごとに行なわれる内部抽選は、遊技者の始動操作を契機として行われる。ここでいう「内部」とは、抽選の中身が遊技者には知覚できないところで行なわれることを表したものであり、実際に内部抽選は遊技機の動作を制御する制御装置（制御基板）にて行なわれる。内部抽選の方法としては、所定の数値範囲内（最小乱数値から最大乱数値までの範囲内）で乱数を発生させておき、１回のゲームごとに乱数を１つ取得すると、この取得した１つの乱数の値を、あらかじめ規定されている当り値と比較することで抽選結果を判断するものが挙げられる。
【００１６】
内部抽選では複数種類の当選結果が用意されており、これら当選結果の種類別に乱数の当り値が割り当てられている。当り値には種類別に幅（数値範囲）が設けられており、取得された乱数の値がいずれかの当り値の範囲内にあれば、その当り値に対応する種類に当選したと判断される。このような内部抽選の仕組みでは、全乱数値に占める当り値の数の割合から当選結果の種類別の当選確率が規定される。
【００１７】
１回のゲームで行なわれた内部抽選の当選結果は、少なくとも当該ゲームでは維持されている。複数種類の当選結果の中には、当該ゲーム限りで結果が破棄される種類もあれば、次回以降のゲームまで持ち越される種類もある。
【００１８】
内部抽選の当選結果として、本発明の遊技機では少なくとも所定当選種類および特定小役が規定されている。またこれら所定当選種類および特定小役とは別に、当選結果として特別当選種類が規定されている。所定当選種類、特定小役および特別当選種類には、それぞれ対応する所定当選図柄、特定小役図柄および特別当選図柄があり、これら図柄は上記の可動表示体にそれぞれ割り当てられている。つまり、可動表示体に付された図柄列の中には、当選結果の種類に対応付けられた図柄が含まれている。また「図柄」は、遊技者が視覚によって個々を識別することができる絵、記号、マーク、飾り文字等を意味する。
【００１９】
全ての可動表示体の停止時に、所定当選図柄または特定小役図柄が特定の態様で停止すると、それぞれに対応した数の遊技特典が遊技者に付与される。ここでいう「特定の態様」とは、図柄表示部内での図柄の停止位置、並び、組み合わせ等を意味し、一般的には複数の可動表示体にまたがって対応する図柄が水平または斜めに揃っていることをいう。
なお、特定小役図柄の場合、少なくとも特定の可動表示体について特定小役図柄が決まった位置に停止しているだけでよい。なお、遊技特典としては遊技価値の付与等が挙げられる。遊技者は、できるだけこの遊技特典を得たいと考えて所定当選図柄や特定小役図柄が特定の態様となるように停止操作を行なうところで技量を発揮する。
【００２０】
上記の所定当選種類または特定小役は、対応する図柄が特定の態様で停止すると、それぞれ対応する数の遊技価値を遊技者に付与するものであるが、これとは別に本発明の遊技機では、一般的な通常遊技状態のゲームで特別当選図柄が特定の態様で停止すると、通常遊技状態よりも遊技者にとって有利な特別遊技状態に移行する。この特別遊技状態に移行すると、通常遊技状態と比較して、より多くの遊技価値を獲得できる機会が遊技者に与えられる。このため本発明の遊技機では、いかにして特別遊技状態に移行する回数を多くすることができるかが勝負の分かれ目となり、それゆえ遊技者の興味は、特別当選図柄をいつ、どのような場面で揃えることができるかに集中する傾向にある。
【００２１】
以上の内容を前提として、毎回のゲームで遊技者は可動表示体を回転させる始動操作を行なうと、次に回転中の可動表示体を視認しながら順番に停止操作を行なっていく。このとき、目押し等の技量を身につけた遊技者であれば、可動表示体が回転中であっても、図柄表示部内にどの図柄が存在するかをある程度は見極めた上で停止操作をすることができる。
【００２２】
図柄表示部内は、各可動表示体の図柄列中の３つの図柄を表示することが可能であり、図柄表示部内に表示される図柄の最大個数は、「３×可動表示体の数」として表すこともできる。この中で、遊技者が掛けた所定数の遊技価値に応じて、当選図柄の組み合わせ態様が有効となる表示位置を決めることで、遊技者はその有効となる表示位置に当選図柄を停止させようと目押し等の技量を発揮することとなる。ここでいう「有効となる表示位置」とは、所定当選図柄および特別当選図柄のそれぞれ当選図柄が図柄表示部内に停止したときにそれぞれに該当する遊技特典が得られる表示位置のことをいう。つまり、図柄表示部内に上記の当選図柄が停止時に表示された場合でも、有効となっていない表示位置に停止した場合には、上記のいずれの特典も得ることはできない。
【００２３】
なお、特定小役図柄は少なくとも特定の可動表示体が停止したときに図柄表示部内の有効となる表示位置に表示されるだけで特典を得ることができるものであり、他の可動表示体にどのような図柄が停止していても影響を受けない図柄である。また遊技者にとって全ての可動表示体をそれぞれ目押しする労力を軽減できる図柄であるともいえる。そのため、遊技特典として遊技価値を付与する場合、遊技者が１回のゲームを行なう際の最大掛け数より少ないか、同程度として、遊技価値の大幅な消費を抑える役割を持たせることもできる。
【００２４】
また有効となる表示位置は遊技価値の掛け数に応じて変化するため、掛け数を増やせば、有効となる表示位置も増えることとなる。有効な表示位置が増えれば、それだけ当選図柄を停止させたときに有効となる表示位置が多くなるため、上記のいずれかの特典を得る機会が多くなる。そのため遊技者が最大掛け数の遊技価値を掛けた状態でゲームを行なうことが一般的となる傾向にある。
【００２５】
本発明の遊技機では、各可動表示体はそれぞれ独立して回転・停止することができるものであり、遊技者による始動操作が受け付けられると全ての可動表示体が一斉に（または順番に）回転を開始する。全ての可動表示体が回転を開始した後は、遊技者が個々の可動表示体の停止操作を行なうことで、停止操作が受け付けられた可動表示体から順番に停止していく。個々の可動表示体の停止操作を行なうにあたって、遊技者はいずれの可動表示体から停止操作を行なうか自由に選択することとなる。
【００２６】
遊技者により行なわれる可動表示体の停止操作の順番は、２つに大別することができる。この２つとは、特定の可動表示体を第１番目に停止させる操作の順番（通則操作手順）と、特定の可動表示体以外の可動表示体を第１番目に停止させる操作の順番（非通則操作手順）のことである。
【００２７】
本発明の遊技機では、第１番目に停止操作が受け付けられた可動表示体から、２つの停止操作手順のいずれが行なわれたかを検出することができる。これは、特定可動表示体の停止操作がいずれの手順として受け付けられたかによって停止位置の制御に制限が生じるためである。具体的には、内部抽選で特定小役に当選した場合を除いて、特定可動表示体の停止操作がいずれの順番で受け付けられたとしても、特定小役図柄を図柄表示部内の有効な位置に表示されることを回避する停止制御をしなければならない。
【００２８】
つまり、通則操作手順に従った停止操作が受け付けられた場合には、特定小役図柄を図柄表示部内から回避させる制御のみを行なうことでも問題は生じないが、非通則操作手順に従った停止操作が受け付けられた場合には、特定小役図柄を図柄表示部内から回避させることに合わせて、他の図柄を揃えさせるようにしたり、あるいは他の図柄を揃えさせないようにしたりする制御までも行なわなければならないこととなる。ここで「他の図柄を揃えさせる」とする場合は、内部抽選の当選結果に対応する該当図柄を揃えさせるように停止位置を制御することをいう。また、「他の図柄を揃えさせない」とする場合は、特定小役図柄を回避させたことによって内部抽選の当選結果に対応しない図柄が揃ってしまうことを避けた停止位置に制御することをいう。以上のことから、通則操作手順と非通則操作手順のいずれが行なわれたかを検出する必要がある。
【００２９】
本発明の遊技機では、特定可動表示体の図柄列中の特定小役図柄および所定当選図柄の配置について規則的な配置を適用する。ここでいう「規則的な配置」とは、特定可動表示体の回転に伴う移動方向でみて、特定小役図柄より前の特定の位置に所定当選図柄を配置する。具体的には、特定小役図柄からみて所定の個数の図柄を前に挟んで所定当選図柄を配置する。上記の所定個数の図柄としては、０〜３個の図柄を挿入させる。なお、この０〜３個の図柄は、特定小役図柄および所定当選図柄以外の図柄とする。以下では、この所定個数の図柄を前に挟んで配置された所定当選図柄を特定小役前所定当選図柄と呼ぶ。これは、所定当選図柄が全ての可動表示体の図柄列中には複数個配置されているため、特に区別する意味で別の呼称とするだけであり、所定当選図柄としての内容（特徴、性質、特典）は同じものである。
【００３０】
また、特定可動表示体の回転に伴う移動方向でみて、特定小役図柄より後ろの特定の位置に所定当選図柄を配置する。具体的には、特定小役図柄からみて所定の個数の図柄を後ろに挟んで所定当選図柄を配置する。上記の所定個数の図柄としては、０〜３個の図柄を挿入させる。なお、この０〜３個の図柄は、特定小役図柄および所定当選図柄以外の図柄とする。以下では、この所定個数の図柄を後ろに挟んで配置された所定当選図柄を特定小役後所定当選図柄と呼ぶ。これは上記の特定小役前所定当選図柄のように、特に区別する意味で別の呼称とするだけであり、所定当選図柄としての内容（特徴、性質、特典）は同じものである。所定当選図柄配置手段は、特定小役図柄と所定当選図柄との配置関係を定めているだけでなく、特定可動表示体が回転・停止をした場合でも、特定小役図柄と所定当選図柄との配置関係を保持し、ゲームを安定して進行させる機能をも有する。特定可動表示体がこのような規則的な配置を有していれば、遊技者が特定可動表示体の停止操作を行なう際に、所定当選図柄と特定小役図柄との配置に着目しながら狙いを定めることができる。
【００３１】
また本発明の遊技機では、内部抽選の当選結果として所定当選種類が得られており、先の非通則操作手順の停止操作が行なわれた場合であって、特定可動表示体以外の可動表示体の停止操作が受け付けられると、所定当選図柄を限定された表示位置に停止させることにより、所定当選図柄が揃った（並んだ）状態を作り出すことができる。この状態は所謂、「テンパイ状態」といわれるものであり、この後、仮に所定当選図柄がテンパイした揃い（並び）の延長線上に特定可動表示体の図柄列中の所定当選図柄が停止すれば、所定当選図柄の揃い（並び）が完成して、所定当選種類の遊技特典が付与されることとなる。つまり本発明の遊技機では、内部抽選の当選結果に対応する図柄を「テンパイ状態」とすることにより、遊技者が全ての可動表示体を停止させるより前に揃うと予測される該当図柄を事前に察知することが可能となる。これにより遊技者は、「テンパイ状態」となり内部抽選の当選結果を少しでも早く察知しようと非通則操作手順による停止操作に興趣を抱いて停止操作を行なうことになる。
【００３２】
また、上記の通り、所定当選図柄が「テンパイ状態」となり、最後に特定可動表示体の停止操作が受け付けられると、特定可動表示体の図柄列中の所定当選図柄を先に「テンパイ状態」となった所定当選図柄の揃い（並び）の延長線上に停止させて所定当選図柄の揃い（並び）を完成させる。
【００３３】
上記の場合、受け付けられた停止操作により、特定小役前所定当選図柄が図柄表示部内の上段位置、中段位置、下段位置のいずれに停止することも可能である場合、少なくとも特定小役前所定当選図柄の後に位置する特定小役図柄が図柄表示部内の上段位置に到達する前に特定可動表示体の回転を停止させる。このときに合わせて特定小役前所定当選図柄を上記の「テンパイ状態」の並びの延長線上に停止させる。この結果、内部抽選で当選していない特定小役図柄が図柄表示部内に停止することを回避することができ、合わせて内部抽選で当選した所定当選図柄を揃えることができる。
【００３４】
一方、特定小役前所定当選図柄が図柄表示部内に停止することができない場合（図柄表示部内の下段位置を通りすぎた直後）、特定小役図柄が図柄表示部内に現れてくることになる。この場合、少なくとも特定小役図柄を可動表示体の回転に伴う移動方向でみて、図柄表示部内の下段位置から更に１図柄分移動した位置に停止させる。このときに合わせて特定小役後所定当選図柄を上記の「テンパイ状態」の並びの延長線上に停止させる。この結果、内部抽選で当選していない特定小役図柄が図柄表示部内に停止することを回避することができ、合わせて内部抽選で当選した所定当選図柄を揃えることができる。
【００３５】
上記のことは、特定小役図柄が特定可動表示体を急いで止めさせる（歯止め、急停止など）役目を果たすことにより、所定当選図柄を特定の位置（「テンパイ状態」となった並びの延長線上のこと、以下では、必要に応じてテンパイした位置という）に停止させている、ともいえる。
【００３６】
また、本発明の遊技機では、内部抽選の当選結果として特別当選種類が得られており、先の非通則操作手順の停止操作が行なわれた場合にも、所定当選図柄を「テンパイ状態」とすることができる。この場合、特定可動表示体の停止操作が受け付けられた停止位置に関わらず、所定当選図柄を上記のテンパイした位置に停止させない制御を行なう。つまり、所定当選図柄を揃えることはできないことになる。
【００３７】
上記の制御は、特定小役図柄前配置手段および特定小役図柄後配置手段により配置された特定小役図柄と所定当選図柄との位置関係を根拠として実現可能である。つまり、特定小役図柄が図柄表示部内の上段位置に到達する前に特定可動表示体の回転を停止させても、特定小役前所定当選図柄が上記のテンパイした位置に停止することのない配置により上記の制御が実現されている。ここでは特に、特定可動表示体の図柄列中の特定小役図柄と所定当選図柄の配置された位置関係が重要な要素となる。具体的には、特定小役図柄と所定当選図柄との間に０〜３個挿入された図柄により、図柄表示部内に特定小役図柄と所定当選図柄とが重複して表示されることの無い配置を採用するとともに、特定小役図柄と所定当選図柄との双方とも表示されることの無い配置とすることで上記の制御が実現可能となる。つまり、本発明の遊技機では特有の図柄の配置により、内部抽選で所定当選図柄に当選した場合は、図柄前停止制御手段（または図柄後停止制御手段）による制御において所定当選図柄を図柄表示部内に停止させ、内部抽選で特別当選種類に当選した場合は、図柄前特定態様不許容停止制御手段（または図柄後特定態様不許容停止制御手段）による制御において所定当選図柄を図柄表示部内に停止させないといういずれかを選択できる余裕（移動制御可能範囲）を持たせることができる。従って、内部抽選の当選結果として特別当選種類が得られていた場合であって、所定当選図柄が「テンパイ状態」となっても、特定小役図柄が特定の態様で停止することを回避しつつ、所定当選図柄をも揃わないように回避させることが可能となる。そのため、最後の可動表示体が停止するまで（特別当選種類に当選している可能性を期待できるため）遊技者をワクワクした気分にさせ、興趣を持続させることができる。
【００３８】
以上の内容から、内部抽選で特別当選種類および所定当選種類のいずれに当選した場合であっても、遊技者により非通則操作手順の停止操作が受け付けられると、所定当選図柄を「テンパイ状態」とする制御が行なわれる。遊技者は見た目では、特別当選種類に当選したのか、所定当選種類に当選したのか分からないため、最後の可動表示体が停止するまで興趣を損なうことがない。また上記の「テンパイ状態」となると、所定当選種類か特別当選種類かいずれかに当選したことが確定する。いずれの結果となっても遊技者にとって有利な結果が得られることとなるため、遊技者は、ゲーム結果（特定可動表示体が停止したときの図柄表示態様）を待ち望むこととなる。特に特別当選種類に当選となっていた場合には、図柄表示態様を、所謂「リーチ目」として遊技者に教示（アピール）することができ、特別当選種類に当選していることを察知させることが可能となる。
【００３９】
（解決手段２）
解決手段２は、解決手段１に記載の遊技機において、前記表示位置限定停止制御手段は、前記特定小役図柄前配置手段による前記特定可動表示体に付された図柄列中における前記特定小役図柄と前記所定当選図柄との位置関係に基づいて前記図柄表示部内の複数の有効な表示位置に前記特定小役図柄と前記所定当選図柄とが同時に表示されることを許容しない前記図柄表示部内の表示位置を前記図柄表示部内に規定される３つの表示位置の中から限定し、前記特定小役図柄後配置手段による前記特定可動表示体に付された図柄列中における前記特定小役図柄と前記所定当選図柄との位置関係に基づいて前記図柄表示部内に前記特定小役図柄と前記所定当選図柄とが重複して表示されることを許容しない前記図柄表示部内の表示位置を前記図柄表示部内に規定される３つの表示位置の中から限定することを特徴とする遊技機である。
【００４０】
この場合、特定可動表示体に付された図柄列中の特定小役図柄と、その前後の所定当選図柄との位置関係に基づいて、特定可動表示体を除く他の全ての可動表示体が所定当選図柄を停止制御させる表示位置が決められる。ここでいう「位置関係」とは、特定小役図柄前配置手段により配置された特定小役図柄と特定小役前所定当選図柄との間隔（間に挿入されている図柄数）、および特定小役図柄後配置手段により配置された特定小役図柄と特定小役後所定当選図柄との間隔のことをいう。これは、特定可動表示体だけでみて、特定可動表示体が停止したときに図柄表示部内の複数の有効な表示位置に表示態様として特定小役図柄と所定当選図柄が同時には表示されない停止位置を、先ほどの「位置関係」から決めることができる（以下では、「限定された表示位置」という）。従って、特定可動表示体以外の可動表示体の停止時に予め「限定された表示位置」に所定当選図柄を停止制御することで、停止操作順として、特定可動表示体の停止操作が第１番目以外となるときであっても、特定可動表示体の図柄列中の特定小役図柄と所定当選図柄（特定小役前所定当選図柄若しくは特定小役後所定当選図柄）とが図柄表示部内に重複して表示されることなく所定当選図柄を「限定された表示位置」に停止させることができることとなる。
【００４１】
（解決手段３）
解決手段３は、解決手段１または２に記載の遊技機において、前記特定可動表示体は、前記所定当選図柄配置手段により配置される図柄について、前記特定可動表示体に付された図柄列の配列順を前記特定可動表示体の回転方向でみた場合、前記所定当選図柄を先頭にして、前記所定当選図柄に続く４つの図柄中に１つの前記特定小役図柄および３つの前記所定当選図柄以外の図柄を含み、かつ、これら４つの図柄の次に前記所定当選図柄が配列された図柄群を前記図柄列の一部に含むことを特徴とする遊技機である。
【００４２】
特定可動表示体の図柄列の順番を、特定可動表示体の回転方向でみて、所定当選図柄から４個の図柄（所定当選図柄以外の図柄、以下では他図柄という）の次に所定当選図柄を順に配置する図柄群を設ける。４つの他図柄の中には、１つの特定小役図柄を必ず含むものとする。これにより、図柄群の配置態様として、
〔態様Ａ．  所定当選図柄１−他図柄１−他図柄２−他図柄３−特定小役図柄−所定当選図柄２  〕
〔態様Ｂ．  所定当選図柄１−他図柄１−他図柄２−特定小役図柄―他図柄３―所定当選図柄２  〕
〔態様Ｃ．  所定当選図柄１−他図柄１−特定小役図柄−他図柄２−他図柄３−所定当選図柄２  〕
〔態様Ｄ．  所定当選図柄１−特定小役図柄−他図柄１−他図柄２−他図柄３−所定当選図柄１  〕
が挙げられる。各態様とも、特定可動表示体の回転方向でみて、図柄群の中で所定当選図柄１が先頭に位置するものとする。
【００４３】
上記の配置態様により、表示位置限定停止制御手段により所定当選図柄が「テンパイ状態」となり、特定可動表示体が停止する際に、特定小役図柄を図柄表示部内に停止することを回避した場合であっても、所定当選図柄を「限定された表示位置」に停止させることもできるし、あるいは停止させないこともできることとなる。
【００４４】
具体的には、態様Ａでは、「限定された表示位置」を図柄表示部内の下段位置とすると、図柄表示部内において、所定当選図柄１を下段位置としても特定小役図柄が図柄表示部内に停止することがない。また、他図柄１を下段位置とした場合も、特定小役図柄は図柄表示部内に停止することがない。つまり、態様Ａの図柄配置を採用することにより図柄表示部内の「限定された表示位置」に所定当選図柄を停止させることもできるし、停止させないこともできるのである。また、特定小役図柄が図柄表示部内に現れてきた場合、特定小役図柄を図柄表示部内の下段位置から特定可動表示体の回転方向に１個の図柄分移動させた位置（図柄表示部外）に停止させることで所定当選図柄２を下段位置に停止させることができる。あるいは図柄表示部外から更に特定可動表示体の回転方向に１個の図柄分移動して停止させることにより所定当選図柄２を「限定された表示位置」に停止させないこともできる。
【００４５】
態様Ａのように、図柄表示部内の「限定された表示位置」を、態様Ｂでは中段位置、態様Ｃおよび態様Ｄでは上段位置とすることにより、所定当選図柄を「限定された表示位置」に停止させることもできるし、停止させないこともできるのである。
【００４６】
以上のことから、内部抽選の当選結果として特別当選種類が得られた場合にも所定当選図柄を「テンパイ状態」とすることができ、なおかつ、受け付けられた特定可動表示体の停止位置に特定小役図柄があった場合でも、特定小役図柄を回避しつつ、合わせて所定当選図柄も揃わない停止制御を行なうことが可能となる。そのため、遊技者に、所定当選図柄が「テンパイ状態」となると、特別当選種類に当選しているかもしれないという期待を持たせることができる。
【００４７】
（解決手段４）
解決手段４は、解決手段１から３のいずれかに記載の遊技機において、前記内部抽選の当選結果として、一般小役を含む複数種類の小役を規定するとともに、前記一般小役に対応する一般小役図柄を前記可動表示体に割り当てる小役図柄規定手段と、前記各小役および前記各特別当選種類とは別に前記内部抽選の当選結果となる再遊技当選種類を規定するとともに、前記再遊技当選種類に対応する再遊技図柄を前記可動表示体のそれぞれに割り当てる再遊技図柄規定手段と、今回のゲームにおいて全ての前記可動表示体の停止時に前記再遊技図柄が前記図柄表示部内の特定の位置で停止していると、改めて遊技価値を掛けることなく次回のゲームを実行可能とする再遊技実行手段と、全ての前記可動表示体の停止時に前記一般小役図柄が前記図柄表示部内において特定の態様で停止すると、前記一般小役に対応した数の遊技価値を遊技者に付与する一般遊技価値付与手段とを更に備えたことを特徴とする遊技機である。
【００４８】
内部抽選の当選結果として、本発明の遊技機では少なくとも一般小役および再遊技当選種類が規定されている。更に一般小役は複数の種類が用意されている。一般小役、再遊技当選種類には、それぞれ対応する一般小役図柄、再遊技図柄があり、これら図柄は上記の可動表示体にそれぞれ割り当てられている。
【００４９】
全ての可動表示体の停止時に、一般小役図柄が特定の態様で停止すると、対応した数の遊技価値が遊技者に付与される。一般小役図柄は複数の種類が用意されており、それぞれに対応した数の遊技価値が特定の態様で停止した時に付与される。遊技者はゲーム回数を重ねていく中で、一般小役図柄が特定の態様で停止することにより、遊技者が掛けた遊技価値の総数よりも付与された総数が多くなると、遊技者は差数分の遊技価値を得たことになり、そこに喜びを見出すことができる。更に複数の一般小役図柄があることで、遊技者の目を楽しませることができる。
【００５０】
また、本発明の遊技機では、再遊技当選種類として再遊技図柄を規定しているため、全ての可動表示体の停止時に再遊技図柄が特定の態様で停止すると、再遊技状態に移行する。ここで、「再遊技状態」とは、遊技者が今回のゲームと同じ遊技価値を掛けた状態で、かつ次回のゲームを行なうにあたり、遊技価値を改めて掛けることなくゲームを行なうことができる状態のことをいう。つまり遊技者は１回のゲームに費やす遊技価値の数で少なくとも２回のゲームを行なうことが可能となるため、遊技者が有する遊技価値の大幅な消費を抑えることができる。これは、単位時間当たりに消費される遊技価値の数をある程度一定の範囲内に収めることで、ゲームの健全性を保つことに十分に役立つものである。
【００５１】
（解決手段５）
解決手段５は、解決手段４に記載の遊技機において、前記当選図柄規定手段は、前記所定当選種類として前記再遊技当選種類を規定するとともに、前記所定当選図柄として前記再遊技図柄を割り当てていることを特徴とする遊技機である。
【００５２】
この場合、再遊技図柄は、遊技者がどのような順番で停止操作を行なっても揃えることができるため、単位時間当りの遊技価値の消費数をある程度一定に保つことが可能となる。そのため遊技者は、再遊技当選種類の特典を得られないという不利益を被ることが無くなる。更に、非通則操作手順を行なった際に、再遊技図柄が「テンパイ状態」となると、内部抽選で再遊技当選種類あるいは特別当選種類に当選したかのいずれかとなることが確定するため、遊技者は、いずれの結果となるのか、最後に停止操作を行なう可動表示体が停止するまで、ハラハラしながら待ち望むこととなる。
【００５３】
（解決手段６）
解決手段６は、解決手段１に記載の遊技機において、前記図柄前特定態様不許可停止制御手段は、前記内部抽選の当選結果が前記特別当選種類に該当し、前記非通則操作手順検出手段により前記非通則操作手順が行なわれたことが検出され、前記特定可動表示体以外の前記可動表示体について前記停止操作が前記停止操作手段により受け付けられた場合、前記所定当選図柄を前記図柄表示部内の限定された表示位置に停止させるか否かを決定して前記可動表示体の停止位置を制御することが可能であり、前記図柄後特定態様不許容停止制御手段は、前記内部抽選の当選結果が前記特別当選種類に該当し、前記非通則操作手順検出手段により前記非通則操作手順が行なわれたことが検出され、前記特定可動表示体以外の前記可動表示体について前記停止操作が前記停止操作手段により受け付けられた場合、前記所定当選図柄を前記図柄表示部内の限定された表示位置に停止させるか否かを決定して前記可動表示体の停止位置を制御することが可能であることを特徴とする遊技機である。
【００５４】
内部抽選の当選結果で特別当選種類が得られたうえで、非通則操作手順に従った停止操作が受け付けられると、所定当選図柄を「テンパイ状態」にするかを選択的に決める。ここで「選択的」としたのは、所定当選図柄を「テンパイ状態」にするか否かを抽選によって決めたり、一定の頻度で行なわせたりする等が挙げられる。これにより、内部抽選で特別当選種類に当選した場合でも、所定当選図柄が「テンパイした」状態になるとは限らなくなるため、同じような図柄表示態様を防ぐことが可能となり、遊技者の興趣の減退を抑えることが可能となる。
【００５５】
（解決手段７）
解決手段７は、解決手段１から６のいずれかに記載の遊技機において、前記内部抽選の当選結果として前記所定当選種類が得られた状態で前記通則操作手順に従った停止操作として前記特定可動表示体についての停止操作が前記停止操作手段に受け付けられると、少なくとも前記特定小役図柄が前記図柄表示部内の上段位置に到達する前に前記特定可動表示体の回転を停止させて前記特定小役図柄が特定の態様で停止することを回避するとともに、合わせて前記所定当選図柄を前記図柄表示部内の有効となる表示位置に停止させる特定小役図柄前停止制御手段を更に備えたことを特徴とする遊技機である。
【００５６】
特定小役前所定当選図柄が図柄表示部内の上段位置、中段位置、下段位置のいずれにも停止可能である場合、特定小役図柄を上段位置の手前で停止させ、合わせて特定小役前所定当選図柄を図柄表示部内に停止させる。つまり所定当選図柄と特定小役図柄とが重複して特定の態様となることが回避でき、所定当選図柄を図柄表示部内のいずれかの位置に停止させることが可能となる。このため、１回のゲームで複数の遊技特典が得られること（重複当選、重複入賞）を回避することができる。
【００５７】
（解決手段８）
解決手段８は、解決手段１から７のいずれかに記載の遊技機において、前記内部抽選の当選結果として前記所定当選種類が得られた状態で前記通則操作手順に従った停止操作として前記特定可動表示体についての停止操作が前記停止操作手段に受け付けられると、少なくとも前記特定小役図柄が前記図柄表示部内の下段位置から前記可動表示体の回転に伴う移動方向でみて、更に１個の図柄分だけ移動した位置で前記特定可動表示体の回転を停止させて前記特定小役図柄が特定の態様で停止することを回避するとともに、合わせて前記所定当選図柄を前記図柄表示部内の有効となる表示位置に停止させる特定小役図柄後停止制御手段を更に備えたことを特徴とする遊技機である。
【００５８】
特定小役前所定当選図柄が図柄表示部内の上段位置、中段位置、下段位置のいずれにも停止不可能となり、特定小役図柄が図柄表示部内の上段位置、中段位置、下段位置のいずれかに停止することになる場合、特定小役図柄を図柄表示部の下段位置から更に１個の図柄分だけ移動させた位置で停止させ、合わせて特定小役後所定当選図柄を図柄表示部内のいずれかの位置に停止させる。つまり所定当選図柄と特定小役図柄とが重複して特定の態様となることが回避でき、所定当選図柄を図柄表示部内のいずれかの位置に停止させることが可能となる。
【００５９】
（解決手段９）
解決手段９は、解決手段７または８に記載の遊技機において、前記内部抽選の当選結果が前記所定当選種類に該当し、前記通則操作手順に従い前記特定可動表示体が停止し、前記所定当選図柄が前記図柄表示部内のいずれかの停止位置に停止した場合、前記停止位置に合わせて、その他の回転中の前記可動表示体について前記停止操作手段により前記停止操作が受け付けられると、前記所定当選図柄が前記図柄表示部内の特定の位置に停止する態様でその他の前記可動表示体の周方向でみた停止位置を制御することにより、全ての前記可動表示体の停止時に前記所定当選図柄が特定の態様となることを可能とする通則操作手順図柄停止制御手段を更に備えたことを特徴とする遊技機である。
【００６０】
この場合、ある程度目押しすることで、所定当選図柄を揃えることが可能である。図柄表示部内には上段位置、中段位置、下段位置と最大で３つの図柄が表示可能であるため、遊技者は特定可動表示体が停止した時点で、少なくとも３つの図柄のいずれかに当選したかも知れないという予想をすることができる。あるいは、目押しに失敗して３つの図柄以外に当選していることや、いずれにも当選していない場合もある。そのため、遊技者はこの３つの図柄から１つを予想して他の可動表示体にも同種の図柄を目押しすることとなる。仮に遊技者の予想通りであれば、該当図柄が特定の態様となり該当する遊技特典を得ることができる。
【００６１】
上記で「ある程度の目押し」としたのは、回胴式遊技機では、可動表示体の停止操作が受け付けられてから「所定時間」以内にその可動表示体を停止させなければならないということが決められているためである。これは「所定時間」以内であれば、可動表示体を「所定時間」内の範囲で可動表示体の回転方向に移動させて停止させることが可能であるともいえる。このため、多くの回胴式遊技機では、数図柄分の移動を伴う停止制御（移動停止制御）をすることが可能である。当該遊技機でもこの移動停止制御を行なうことができるため、遊技者の目押しに多少の誤差（狂い）があったとしても、可動表示体の移動可能な数図柄分以内の位置で停止操作が受け付けられた場合には、該当図柄を図柄表示部内に停止させることが可能である。従って、遊技者が毎ゲームごとの正確な目押しを要求されることで受ける極度の疲労が緩和される。
【００６２】
（解決手段１０）
解決手段１０は、解決手段１から９のいずれかに記載の遊技機において、前記特定可動表示体以外の可動表示体に付された図柄列の配列順を前記可動表示体の回転方向でみた場合、前記所定当選図柄を先頭にして、前記所定当選図柄に続く図柄として前記所定当選図柄以外の図柄を最大で４つ含み、かつ、これら最大で４つある図柄に続いて前記所定当選図柄が配列された図柄群を前記図柄列の一部に配置する図柄列配置手段を更に備えたことを特徴とする遊技機である。
【００６３】
本発明の遊技機は、上記の図柄列配置手段とは別の構成として、前記特定可動表示体以外の可動表示体に形成され、前記可動表示体の回転方向でみた場合、前記所定当選図柄を先頭にして、前記所定当選図柄に続く図柄として前記所定当選図柄以外の図柄を最大で４つ含み、かつ、これら最大で４つある図柄に続いて前記所定当選図柄が配列された図柄群を前記図柄列の一部に含む図柄配列を有する。
【００６４】
この場合、可動表示体（特定可動表示体以外）の回転方向でみて、所定当選図柄１を先頭にして次に４つの他図柄を配置し、次に所定当選図柄２の順の図柄群を設けて、可動表示体の図柄列として配置する。図柄群の配置態様としては、
〔  所定当選図柄１−他図柄１−他図柄２−他図柄３−他図柄４−所定当選図柄２  〕
が挙げられる。なお他図柄１〜他図柄４は所定当選図柄以外の図柄であれば、全て同種（同じ）図柄であってもよい。
【００６５】
上記の図柄群の配置態様により、例えば、図柄表示部内の上段位置に所定当選図柄１を停止させようと試みたが、停止操作が遅れて他図柄１が現れてきた（そのままだと停止してしまう）場合、移動停止制御の範囲を４個の図柄分までとすると、
〔  他図柄２→他図柄３→他図柄４→所定当選図柄２  〕
と、所定当選図柄２を図柄表示部内の上段位置まで移動させて停止させることができる。つまり、通則操作手順あるいは非通則操作手順のいずれの停止操作が受け付けられた場合であっても、所定当選図柄を図柄表示部内に停止させることが可能となる。図柄列配置手段は、所定当選図柄と所定当選図柄との配置関係を定めているだけでなく、可動表示体が回転・停止をした場合でも、所定当選図柄と所定当選図柄との配置関係を保持し、ゲームを安定して進行させる機能をも有する。可動表示体がこのような規則的な配置を有していれば、遊技者が可動表示体の停止操作を行なう際に、所定当選図柄の配置に着目しながら狙いを定めることができる。
【００６６】
以上の内容から、内部抽選で所定当選種類に当選した場合、所定当選図柄を取りこぼす虞が無くなり、遊技者は不利益を心配せず、安心して自分の思うままの停止操作でゲームを楽しむことができる。
【００６７】
（解決手段１１）
解決手段１１は、解決手段１から１０のいずれかに記載の遊技機において、内部抽選の当選結果として得られる前記特定小役および前記所定当選種類および前記特別当選種類は、いずれも重複して得られることは許容されておらず、なおかつ前記特定小役図柄および前記所定当選図柄および前記特別当選図柄は、いずれも重複して特定の態様となることを許容しないことを特徴とする遊技機である。
【００６８】
本発明の遊技機では、内部抽選の当選結果として得られる結果は１つである。つまり、いずれか１つに当選となるか、あるいは、いずれにも当選しない（落選）となるかということである。これは結果である該当図柄が特定の態様となる場合にも当てはまる。特に特定可動表示体の停止態様のみで遊技特典の付与が行なわれる特定小役図柄については、他の図柄と重複して特定の態様となる虞がある。そのため、本発明の遊技機では、通則操作手順あるいは非通則操作手順のいずれの停止操作手順が受け付けられた場合であっても、特定小役図柄と他の図柄が重複して特定の態様となることがない（回避できる）。これは回胴式遊技機の遊技性に矛盾を生じさせることをなくし、遊技者にもホールにも健全な遊技機として本発明の遊技機を提供することを可能とするものである。
【００６９】
（解決手段１２）
解決手段１２は、解決手段１から１１のいずれかに記載の遊技機において、１回のゲームごとに遊技価値の掛け数を決定する掛け数決定手段と、前記掛け数決定手段により掛け数が決定された状態で遊技者の始動操作を受け付ける始動操作手段と、表面に複数種類の図柄を含む環状の図柄列が形成された複数の可動表示体を回転させて図柄の表示を変動させる一方、前記可動表示体の回転を停止させて前記各可動表示体について前記図柄列の一部を構成する所定個数分の図柄群を遊技機本体の前面側にて表示可能とする図柄表示部と、前記始動操作手段にて前記始動操作が受け付けられると前記可動表示体の回転を開始し、前記可動表示体の回転中に前記停止操作手段にて前記停止操作が受け付けられると、前記停止操作の受け付け順に前記可動表示体を停止させる可動表示体駆動手段と、前記停止操作手段により受け付けられた順番に従って前記可動表示体を停止させる制御を行なう停止制御手段と、１回のゲームにつき、前記可動表示体駆動手段により全ての前記可動表示体が停止されると、前記全ての可動表示体の停止時の図柄の組み合わせ態様に基づき、必要に応じて規定数の遊技価値を遊技者に与える遊技価値付与手段と、前記特別遊技状態移行手段により遊技状態が前記遊技状態へと移行すると、遊技者に付与する遊技価値の付与機会を通常遊技状態に比して増加させる遊技価値付与機会増加手段とを更に備えたことを特徴とする遊技機である。
【００７０】
解決手段１２は、特にスロットマシン等の遊技機において、遊技者が１回のゲームを行なうための遊技価値（メダル、コインなど）の掛け数を決めた状態で始動操作を行った後に、遊技者により停止操作がなされない限り、前記可動表示体は回転を続ける。遊技者による停止操作が受け付けられると、その受け付け順に前記可動表示体は回転を停止させる。また全ての前記可動表示体が停止すると、図柄表示部に表示された図柄の組み合わせから、必要に応じて遊技価値が遊技者に付与される。遊技者は遊技価値を掛けてから可動表示体を回転させて停止させるという一連の操作を繰り返しながら遊技を進めていくこととなる。そのうえで、図柄表示部に表示された組み合わせによっては、特別遊技状態という遊技価値を通常遊技状態に比べて大量に獲得することができる遊技状態に移行することができる。この特別遊技状態では、遊技価値の付与が集中して行なわれることとなるため、遊技者は特別遊技状態に移行することを期待しながらゲームを進行させていくことになる。
【発明の効果】
【００７１】
本発明により、遊技者が十分に遊技意欲を持ってゲームを楽しむことができる。
【発明を実施するための最良の形態】
【００７２】
以下、本発明を回動式遊技機に適用した一実施形態について、図面に基づいて詳細に説明する。
【００７３】
（一実施形態の概要）
図１は、一実施形態の回胴式遊技機であるスロットマシン１を示している。図１のスロットマシン１は、遊技媒体として例えばメダル、コイン等を用いるタイプのものである。なお、その他にも回胴式遊技機には遊技球を用いるタイプのものもあり、こちらのタイプも実施形態として好適である。また本発明の実施にあたり、いずれのタイプを適用しても本質的な差違は生じない。
【００７４】
スロットマシン１は遊技者に相対する前面に前面扉４を有しており、この前面扉４の奥に箱型の本体部分２を有する。本体部分２の左側壁の内面と前面扉４の左側端部の背面とは上下２つの蝶番（図示しない）を介して相互に連結されている。この蝶番を軸として、前面扉４はその右側端に位置する鍵穴４８にスロットマシン１専用の鍵を入れて時計回りに回すことで、片開き形式に手前に開閉することができ、前面扉４が閉じた状態で、蝶番は前面扉４の背後に隠れるようにして本体部分２の内側に収容される。
【００７５】
また前面扉４は、上半分の部分に液晶表示部５８を有するほか、この液晶表示部５８の下方に平坦な透明板（遊技パネル）６を有している。前面扉４の下半分の部分は遊技パネル６から前方に突出するように形成されており、この突出部にはメダル投入口２６やベットボタン１２，１４，１６（掛け数決定手段）、始動レバー１８（始動操作手段）、左・中・右の各停止ボタン２０，２２，２４（停止操作手段）等が遊技パネル６の下縁に沿って配設されている。その他、前面扉４の下半分には貯留精算ボタン４６および化粧板５０が配設されており、更に化粧板５０の下には受け皿５４が設けられている。
【００７６】
液晶表示部５８は、遊技の進行に伴う演出のための映像や後述するボーナスゲームでの獲得メダル枚数等を表示させることで遊技者の遊技の進行を補助する役割をしている。
【００７７】
遊技パネル６には、その略中央の位置に矩形の表示窓８（図柄表示部）が形成されており、この表示窓８を通してスロットマシン１に内設された可変回転体１０ａ，１０ｂ，１０ｃを透視することができる。また遊技パネル６には、表示窓８の周囲を取り巻くようにして表示領域３８，４０や表示部３０，３２，３４等が形成されている。正面から見て表示窓８の右側に位置する表示領域４０には、各種文字情報や図柄情報が付されており、反対の左側に位置する表示領域３８にはベットランプ４２およびボーナス告知ランプ４４等の点灯表示部が配列されている。
【００７８】
また遊技パネル６には、表示領域３８の下側に位置するスタートランプ２８の他、クレジット枚数表示部３０、ゲーム数表示部３２、払出し枚数表示部３４およびメダルインランプ３６がそれぞれ設けられている。なお各ランプは遊技パネル６の背後の図示しないランプユニットのことである。各ランプの発光は遊技パネル６上で遊技者が視認することが可能である。
【００７９】
メダルインランプ３６は、遊技者が遊技を開始する前に点滅（または点灯）し、遊技者にメダル投入口２６へメダルの投入を促す役割をしている。
【００８０】
ベットランプ（有効ラインランプ）４２は、遊技者によりメダル投入口２６より投入されたメダルの枚数に対応して１ベット、２ベット、３ベット（それぞれ１枚掛け、２枚掛け、３枚掛けともいう）に対応したランプを点灯表示させて遊技者に掛け数を知らせる役割をしている（図中のベットランプ４２の１は１ベット、２は２ベット、３は３ベットに対応している）。なおベットボタン１２，１４，１６の押下操作はそれぞれ１枚掛け、２枚掛け、３枚掛けに対応している。特に３枚掛けについては１回のゲームでの最大掛け数となるためＭＡＸベット（ベットボタン１２，１４，１６をそれぞれ１ベットボタン、２ベットボタン、ＭＡＸベットボタンと呼ぶ）と呼ぶ。
【００８１】
スタートランプ２８は、始動レバー１８の操作が有効になった場合に点灯（または点滅）し、遊技者にゲームのスタートを促す役割をしている。また払出枚数表示部３４は、メダルの払出しを伴う当選種類が図柄の組み合わせとして表示された場合にその払出枚数を表示するほか、スロットマシン１に発生した各種の異常、遊技の進行に起因して発生した異常を表示するエラー表示器としても機能する。このため、以下では必要に応じて払出枚数表示部３４をエラー表示部３４ともいう。
【００８２】
クレジット枚数表示部３０は、最大掛け数（例えば３ベット）を超えるメダルの貯留がある場合に貯留されている枚数として遊技者に貯留枚数を知らせる役割をしている。クレジット枚数表示部３０の表示は、貯留精算ボタン４６を１回操作することで貯留が解除され、メダルの貯留（クレジット）の精算を行なうことも可能である。
【００８３】
クレジットは最大で５０まで貯留することができる。クレジットに貯留された枚数から、次回ゲームへのベット数を、ベットボタン１２，１４，１６を操作することによって選択できるため、遊技をスムーズに進行することができる。クレジットからベットされた場合、ベットされた数だけクレジットとして貯留された枚数から減算されていく。なおメダルの払出しに伴い、最大クレジット数を超えた場合のメダルは払出口５２を通じて受け皿５４に払い出される。
【００８４】
ボーナスフラグ告知ランプ４４は、遊技者に後述するボーナス等に当選したことを知らせる役割をしている。
【００８５】
ゲーム数表示部３２は、後述するボーナスゲームでのメダルの払出しが集中して行われる特典の回数等の状況の表示を行ない、遊技者のボーナスゲームの遊技をスムースに進行させる役割をしている。
【００８６】
図１では特に描かれていないが、化粧板５０にはスロットマシン１の機種名称やイラストなどが描かれている。化粧板５０は前面扉４を装飾したり、遊技者の目を引きつけて遊技意欲を掻き立てたりする役割をしている。
【００８７】
鍵穴４８は、スロットマシン１専用の鍵（以下では専用鍵として統一する）を入れて左右にそれぞれ約４５度ほど回す（捻る）ことが可能となっており、右回りに回すことで前面扉４の施錠を解錠することができ、また左回りに回すことでスロットマシン１の遊技が中段した状態を遊技再開が可能な状態に戻す（リセットする）ことができる。なお、このリセットする操作については、後述するリセットスイッチ７４を押下することでも同様の処理ができる。
【００８８】
払出口５２の左右には２個のスピーカ５６が設けられており、これらスピーカ５６からは遊技の進行に伴う効果音やＢＧＭ、音声等が出力される。
【００８９】
その他、液晶表示部５８の左右にランプ６４、およびスロットマシン１の外周に沿ってランプ６０，６２，６６が配置されており、これらランプ６０，６２，６４，６６は遊技状態に応じた発光装飾による演出を実施することができる。
【００９０】
図１中に破線で示される５本の有効ライン６８ａ，６８ｂ，６８ｃは、表示窓８内に表示される図柄の配列を１つの組み合わせとして見るための方向を規定したものであり、それぞれ１枚掛け、２枚掛け、３枚掛けのベット数に対応して有効化されるライン（一直線）となっている。具体的には、１枚掛けの遊技では中段位置にある水平な有効ライン６８ａが１本だけ有効化され、２枚掛けになると、これに加えて上段と下段の位置にある２本の水平な有効ライン６８ｂが有効化されて都合３本となる。そして３枚掛けの遊技では、更に斜めの有効ライン６８ｃが２本とも有効化され、合計５本の有効ライン６８ａ，６８ｂ，６８ｃのすべてが有効となる。いずれにしても、そのときの掛け数に応じて有効化されているライン６８ａ〜６８ｃに沿って並んだ図柄の配列を１つの組み合わせとしてみることができる（図柄表示位置規定手段、図柄表示位置有効手段）。
【００９１】
図２はスロットマシン１の本体部分２の内部構造を示している。この図２では前面扉４を取り外した状態が示されている。本体部分２の上半分の部分には、前述の可変回転体１０ａ，１０ｂ，１０ｃを有する可変図柄表示装置１０が設置されている。本体部分２の内面には、可変図柄表示装置の周囲をサブ制御基板９４、メイン制御基板９２、外部端子板９６が取り囲むように取り付けられている。また本体部分２の下半分の部分には、図２でみて左側の内壁面に沿って電源ユニット７０が設置されているほか、本体部分２の底の略中央位置にホッパ装置７８が設置されており、このホッパ装置７８の右脇の位置には遊技メダル補助収納庫８４が設置されている。
【００９２】
ここで本実施形態のスロットマシン１は、機械的な可変図柄表示装置（回転装置）が３つの可変回転体から構成されている。これら３つの可変回転体は同形状であり、いずれも筒型の骨組に複数種の図柄（ベル、スイカ、チェリー、７、Ｖ等）が印刷された透光性を有する図柄帯（図３に示す）が張られたことにより筒状の形態を成している。前記筒状の形態を成した可変回転体はスロットマシン等の遊技機においてはリール、またはドラムと呼ばれている（以下では前記可変回転体をリール、前記可変図柄表示装置をリール装置として統一する）。リールは回転・停止を行なっても、周方向でみてリールに付された帯状の図柄列の配置関係を常に保持している（所定当選図柄配置手段、図柄列配置手段）。
【００９３】
各々のリール１０ａ，１０ｂ，１０ｃにはステッピングモータからなるリール駆動モータ８８ａ，８８ｂ，８８ｃ（可動表示体駆動手段）がそれぞれ設けられている。このため各リール１０ａ，１０ｂ，１０ｃは独立して回転、停止することができ、その回転時には表示窓８にて複数種類の図柄が上から下へ連続的に変化しつつ表示される。また各リール１０ａ，１０ｂ，１０ｃの回転軸は水平方向に延びる同一軸線上に配設されている。各リール１０ａ，１０ｂ，１０ｃには表示窓８から視認される位置に移動した図柄をリールの内周側から照らすためのリール内ランプ９０ａ，９０ｂ，９０ｃが設けられており、表示窓８より視認可能なリールの上段部分、中段部分、下段部分を各リール１０ａ，１０ｂ，１０ｃ別に独立して点灯させることが可能に構成されている。これら各リール１０ａ，１０ｂ，１０ｃは、前面扉４を閉めることで外側から直接触れることができなくなる。
【００９４】
メイン制御基板９２は、スロットマシン１の遊技の進行を行なうための中枢機器であり、このメイン制御基板９２は、メダルの投入や払出し等、前記リール装置１０の回転と停止等および各表示部２８，３０，３２，３４，３６，４２，４４による表示等の遊技の進行に直接関わる動作を管理している。
【００９５】
サブ制御基板９４は、スロットマシン１の遊技の進行を補助するための液晶表示部５８への演出の表示および各ランプ６０，６２，６４，６６の管理を行っている。
【００９６】
外部端子板９６は、スロットマシン１とホールコンピュータ等を接続する場合の各種の情報の出入り口としての役割をしている。
【００９７】
メイン制御基板９２は、サブ制御基板９４および外部端子板９６と図示しない配線およびコネクタ等により接続されている。そのためメイン制御基板９２から各種情報の伝達がサブ制御基板９４および外部端子板９６へ行われることを可能としている。
【００９８】
電源ユニット７０内には、設定キースイッチ７２、リセットスイッチ７４、電源スイッチ７６を有しており、スロットマシン１の設定を変更したり、異常が発生した際のエラー状態の解除を行ったり、電源のＯＮ−ＯＦＦを行なうことができる。また電源ユニット７０は、前記メイン制御基板９２を含め各種基板に電力を供給するために配線およびコネクタ等により接続されている。なお電源ユニット７０は、スロットマシン１の外部からの不正な手段により直接触れることを防止するためのプラスチック等の合成樹脂で形成されたカバー（図示はしない）が施されている。
【００９９】
ホッパ装置７８は、常時メダルを貯留させておくことで、メダルの払出しが行われる場合の供給源としての役割をしている。なおホッパ装置７８の内部には図示しないがホッパモータを備えており、メダルの払出しが行われる場合はこのホッパモータが回転することにより、ホッパ装置７８内に貯留されているメダルが払出し口８０から払出される。ホッパ装置７８内に貯留されているメダルは一定数量に達するとオーバーフロー状態となり、一定数量を超えた分のメダルは、オーバーフロー吐き出し口８２から遊技メダル補助収納庫８４に導かれて遊技メダル補助収納庫８４へ貯留されていく。
【０１００】
遊技メダル補助収納庫８４は、前述した通り、ホッパ装置７８内にてオーバーフローしたメダルを受け入れるため、メダルの貯留の補助的な役割をしている。
【０１０１】
（スロットマシンの内部構成）
図４は、スロットマシン１に装備されている各種の機構要素や電子機器類、操作部材等の構成を概略的に示している。スロットマシン１は遊技の進行を統括的に制御するためのメイン制御基板９２を有しており、このメイン制御基板９２にはＣＰＵ１１０をはじめＲＯＭ１１２、ＲＡＭ１１４、入出力インタフェース１１６等が実装されている。
【０１０２】
前述したベットボタン１２，１４，１６や始動レバー１８、停止ボタン２０，２２，２４、貯留精算ボタン４６等はいずれもメイン制御基板９２に接続されており、これら操作ボタン類は図示しないセンサを用いて遊技者による操作を検出し、検出された操作信号をメイン制御基板９２に出力することができる。具体的には、始動レバー１８は前述の３つのリール１０ａ〜１０ｃを始動させる操作信号をメイン制御基板９２に出力し、停止ボタン２０，２２，２４はリール１０ａ，１０ｂ，１０ｃをそれぞれ停止させる操作信号をメイン制御基板９２に出力する。鍵穴４８は、専用鍵を挿入した後に左回りに回すことで、鍵穴４８奥に設置されたエラー解除センサ１００（図１では図示しない）よりリセット信号をメイン制御基板９２に出力することができる。また右回りに回すことで前面扉４が開放されると、図示しない前面扉４の裏に設けられた扉開放センサ１３２により開放信号がメイン制御基板へ出力される。扉開放センサ１３２はエラー解除センサ１００と隣接して設置されており、前面扉４が開放されると、前面扉４と本体部分２とが離れたことを検出することができる。
【０１０３】
またスロットマシン１にはメイン制御基板９２とともにその他の機器類が収容されており、これら機器類からメイン制御基板９２に各種の信号が入力されている。機器類には、前述の３つのリール１０ａ〜１０ｃを擁するリール装置１０のほか、ホッパ装置７８等がある。
【０１０４】
リール装置１０は各リール１０ａ，１０ｂ，１０ｃの回転に関する基準位置を検出するための位置センサを有しており、これら位置センサ（各リールに対応してそれぞれ左リール位置センサ１０６ａ、中リール位置センサ１０６ｂ、右リール位置センサ１０６ｃと呼ぶ）からの検出信号（インデックス信号）がメイン制御基板９２に入力されている。またメダル投入口２６の奥には図示しない投入センサ１０４およびロックアウトソレノイド１０２が設置されている。このうち投入センサ１０４は、メダル投入口２６から投入されたメダルを検出し、メダルの検出信号をメイン制御基板９２に出力することができる。一方のロックアウトソレノイド１０２は、前面扉４の内側でメダル投入口２６の奥に配置されたメダルセレクタ（図示されていない）の通路をロックアウトする（塞ぐ）役割を果たす。ロックアウトソレノイド１０２は、ノーマル（非作動）の状態でメダルセレクタの通路をロックアウトしているが、作動時にはこの通路を開き（ロックアウト解除）、メダルの投入を受け付け可能な状態にする。また、投入されたメダルは投入センサ１０４で検出される。逆に、ロックアウトソレノイド１０２が非作動状態になるとメダルセレクタがロックアウトされてメダルの投入が受け付けられなくなり、遊技者がメダルを投入しても、そのまま吐き出されて受け皿５４に返却される。また、このとき合わせて投入センサ１０４の機能が無効化されるので、メダル投入によるベット・クレジット加算のいずれも行われなくなる。
【０１０５】
ホッパ装置７８は、払出し口８０内に払い出されたメダルを１枚ずつ検出する払出センサ９８を有しており、この払出センサ９８からメダル１枚ごとの払出メダル信号がメイン制御基板９２に入力されている。また、遊技メダル補助収納庫８４にはメダル満タンセンサ８６が設けられており、内部に貯留されたメダルの貯留数が所定数量を超えた場合、メダルが所定数量を超えた検出信号をメイン制御基板９２に出力することができ、液晶表示部５８等により遊技機の異常を知らせるエラー表示が行われ、遊技者等に報知されることとなっている。
【０１０６】
一方、メイン制御基板９２からは、リール装置１０やホッパ装置７８に対して制御信号が出力される。すなわち、前述した各リール１０ａ，１０ｂ，１０ｃを回転させるための各リール駆動モータ８８ａ，８８ｂ，８８ｃの起動および停止を制御するための駆動パルス信号がメイン制御基板９２から出力される。またホッパ装置７８には、組み合わせが表示された図柄の種類に応じてメイン制御基板９２から駆動信号が入力され、これを受けてホッパ装置７８はメダルの払い出し動作を行なう。このときホッパ装置７８内に払出しに必要な枚数のメダルが不足しているか、メダルが全く無い状態であると、払出しセンサ９８による枚数検出が滞ることとなり、所定時間経過（例えば３秒間）すると、払出しセンサ９８より払出しメダルの異常信号がメイン制御基板９２へ出力され、これを受けてメイン制御基板９２は、メダルの払出しに異常が発生したことを知らせる内容をエラー表示部３４や液晶表示部５８等に表示させる。
【０１０７】
スロットマシン１は、メイン制御基板９２の他にサブ制御基板９４を備えており、このサブ制御基板９４にはＣＰＵ１１８やＲＯＭ１２０、ＲＡＭ１２２、入出力インタフェース１３０、ＶＤＰ１２４、音源ＩＣ１２８、オーディオアンプ１２６等が実装されている。サブ制御基板９４はメイン制御基板９２から各種の指令信号を受け、液晶表示部５８や各ランプ６０，６２，６４，６６それぞれの点灯または点滅およびスピーカ５６の作動を制御している。
【０１０８】
更に、メイン制御基板９２には外部端子板９６が接続されており、スロットマシン１はこの外部端子板９６を介して遊技場のホールコンピュータ１０８に接続されている。外部端子板９６はメイン制御基板９２から送信される各種信号（投入メダル信号や払出メダル信号、遊技ステータス等）をホールコンピュータ１０８に中継する役割を担っている。
【０１０９】
その他、スロットマシン１の内部には電源ユニット７０が収容されており、この電源ユニット７０は外部電源から電力を取り込んでスロットマシン１の作動に必要な電力を生成する。ここで生成された電力は、電源ユニット７０から各ユニットに供給されている。
【０１１０】
また電源ユニット７０には、設定キースイッチ７２やリセットスイッチ７４、電源スイッチ７６等が付属している。これらスイッチ類はいずれもスロットマシン１の外側に露出しておらず、前面扉４を開くことで始めて操作可能となる。このうち電源スイッチ７６は、スロットマシン１への電力供給をＯＮ−ＯＦＦするためのものであり、設定キースイッチ７２はスロットマシン１の設定（例えば設定１〜６）を変更するためのものである。またリセットスイッチ７４はスロットマシン１で発生したエラーを解除するためのものであり、更には設定キースイッチ７２とともに設定を変更する際にも操作される。
【０１１１】
（ゲーム処理）
次に、スロットマシン１におけるゲーム処理の流れについて説明する。以下のゲーム処理は、メイン制御基板９２のＣＰＵにて実行される制御プログラム上の処理手順に沿って進行する。
【０１１２】
（１．回胴遊技処理）
図５は、スロットマシン１における基本的な１ゲーム（回胴遊技）の処理手順を一通り示している。１回のゲームは、まず始動処理（ステップＳ１０）から始まる。この始動処理はリール１０ａ，１０ｂ，１０ｃの回転を開始させるための処理であり、ここではメダルの投入またはベットボタン１２，１４，１６の操作を受け付けたり、始動レバー１８の操作を契機とした乱数抽選を行ったりする処理が行われる。なお、始動処理（ステップＳ１０）の詳細については、更に別のフローチャートを用いて詳しく後述する。
【０１１３】
１回のゲームでは始動処理（ステップＳ１０）に続いて停止処理（ステップＳ２０）が実行される。この停止処理は、各リール１０ａ〜１０ｃの回転を停止させるとともに各リール１０ａ〜１０ｃの停止位置を制御するものである。これは、「リール制御」と称される処理に該当する。リール制御を用いた停止処理には、例えば当選種類と停止ボタンが押された位置の２つを参照して最終停止位置を決定するテーブル方式と、最大限当選種類を引込むコントロール方式の２つの方式があり、ここではどちらを用いる態様であってもよい。なお当選種類については、後述する始動処理にて説明する。リール制御を用いた停止処理についても別のフローチャートを用いて後述する。
【０１１４】
リール制御によって停止処理を終えると、次に判定処理（ステップＳ３０）が実行される。この判定処理は全リール１０ａ，１０ｂ，１０ｃの停止時に表示された図柄の表示態様（出目）から図柄の組み合わせが有効ラインに表示されたか否かを判断し、組み合わせが表示された場合はそれに応じた遊技結果を提供するためのものである。遊技結果のうち主な特典はメダルの払い出しであるが、メダルの払出しがなくとも、表示された組み合わせ図柄（ビッグボーナス図柄、レギュラーボーナス図柄等）の種類に応じてボーナスゲームに移行する特典が与えられたり、あるいはメダルの払出しとは別に内部状態（各種モード）を変更させる契機となったりするものがある。なお判定処理の具体的な内容については停止処理の後で説明する。
【０１１５】
（２．始動処理）
図６は、上記の始動処理の内容を具体的に示している。ここでは先ず、メダルの投入またはベットボタン１２，１４，１６の操作が待ち受けられる（ステップＳ１０１）。遊技者がベット操作またはメダル投入をしないうちは（Ｎｏ）、始動レバー１８が有効化されないため、ステップＳ１０４の判断が否定（Ｎｏ）されて待ち受け状態（ステップＳ１０１）がループされ続ける。ベット操作またはメダル投入があると、これを受けて受付処理（ステップＳ１０２）が行われ、ベット数に応じた有効ラインランプの点灯が行われる。また受付処理（ステップＳ１０２）では、メイン制御基板９２からメダル投入コマンドまたはベットコマンドがサブ制御基板９４に送信される。
【０１１６】
受付処理（ステップＳ１０２）に続いて始動レバー有効処理（ステップＳ１０３）が行われ、ここで初めて始動レバー１８の操作が実質的に有効化される。この状態で遊技者が始動レバー１８を操作すると、ステップＳ１０４の判断が肯定（Ｙｅｓ）されて次に始動レバー無効処理（ステップＳ１０５）が行われる。
【０１１７】
始動レバー１８の操作があると、これを契機として乱数の抽出（乱数抽選）が行われる（ステップＳ１０６）。また、始動レバー１８の操作を受け付けてから乱数を抽出するタイミングは特に規定されておらず、プログラミングの過程で適切な抽出タイミングを設定することができる。
【０１１８】
次のフラグ処理（ステップＳ１０７）では、抽出された乱数値から当選・落選が判断され（内部抽選手段）、当選の場合は当選種類（小役、特定小役等）の種類に応じたフラグがＯＮにされるとともに、メイン制御基板９２から当選フラグコマンドがサブ制御基板９４に送信される。
【０１１９】
また、落選の場合は、いずれの当選種類（小役、特定小役等）も揃えることのできないハズレフラグがＯＮにされる。当選・落選したフラグ（いわゆる、成立フラグ）は、該当するフラグがＯＮになっている時に該当図柄を揃えることではじめて特典が得られるものである。各々の特典については、判定処理にて別のフローチャートを用いて後述する。
【０１２０】
上記のフラグ処理（ステップＳ１０７）が行われると、前回の始動処理でスタートされたウェイトタイマがタイムアップ（例えば４．１秒経過）したか否かが判断される（ステップＳ１０８）。タイムアップ（Ｙｅｓ）が確認されると、各リール１０ａ，１０ｂ，１０ｃが始動され（ステップＳ１０９）、ここから次回の始動までのウェイトタイマがスタートされる（ステップＳ１１０）。
【０１２１】
（２−１．当選種類と当選図柄）
図７は、スロットマシン１の各種当選種類に対応した当選図柄の構成を示したものである。各々の当選図柄は全てのリールの停止時に表示窓８内に図柄の組み合わせ態様として有効ラインに揃うことでそれぞれの特典を得ることができるものである。
【０１２２】
（２−１−１．特別当選図柄〔ボーナス図柄（ＢＢ図柄、ＲＢ図柄）〕：特別当選種類）
当選種類が特別当選種類〔ビッグボーナス（ＢＢ）もしくはレギュラーボーナス（ＲＢ）〕である場合に対応する図柄がそれぞれＢＢ図柄、ＲＢ図柄のボーナス図柄である。ＢＢ図柄の組み合わせ態様「７−７−７」が表示窓８内の有効ラインに停止すると「ＢＢゲーム」が開始される。あるいは、ＲＢ図柄の図柄組み合わせ態様「Ｖ−Ｖ−Ｖ」が表示窓８内の有効ラインに停止すると「ＲＢゲーム」が開始される。
【０１２３】
つまり、ボーナス図柄が揃うと「ＢＢゲーム」もしくは「ＲＢゲーム」のいずれかの特典が得られることになる。この「ＢＢゲーム」、「ＲＢゲーム」ともに、複数回のゲーム機会が集中して行なわれることで大量のメダルを獲得することができる特典を有している。そのため、ＢＢまたはＲＢは他の当選種類に比べて内部抽選で当選し辛くなっており（例えば１／３００程度）、ボーナス図柄も各リール１０ａ，１０ｂ，１０ｃそれぞれともに配置数が非常に少なくなっている（概ね各リールに１〜２個配置される程度）。なお「ＢＢゲーム」および「ＲＢゲーム」の内容については後述する。
【０１２４】
（２−１−２．再遊技図柄（リプレイ図柄）：再遊技当選種類）
当選種類が再遊技当選種類（リプレイ）である場合に対応する図柄が、再遊技図柄（リプレイ図柄）である。リプレイ図柄の組み合わせ態様「リプレイ−リプレイ−リプレイ」が表示窓８内の有効ラインに停止すると「リプレイゲーム」が開始される。ここで「リプレイゲーム」とは、あらためてメダルを投入もしくはベット操作をすることなく、次回のゲーム時を再遊技として実行できることをいう。その場合の有効ライン数は、リプレイ図柄が揃ったゲームの有効ラインと同じラインとなる。
【０１２５】
つまり、リプレイ図柄が揃うと「リプレイゲーム」という特典が得られることになる。また「リプレイゲーム」はメダルの払出しが行われない代わりにメダルを新たに消費する必要もない。そのため、当選頻度を高くして遊技者のメダルの消費量（一定時間当りにつき消費するメダル数）をある程度一定の範囲に保つことが可能となる。またリプレイはメダルの払い出しを伴わない当選種類であるので、当選頻度が高くなったとしてもホールにとって不利益となることは非常に少ない。それゆえ、リプレイは、ゲーム進行における過剰なメダルの消費を抑えることのできる非常に重要な当選種類としての役割を担っている。従ってリプレイに内部抽選において当選した場合には極力特典が得られるように、リプレイ図柄も各リール１０ａ，１０ｂ，１０ｃごと、それぞれ満遍なく配置されている（各リールとも概ね１〜４図柄おきに１個は配置する）。
【０１２６】
（２−１−３．特定小役図柄（チェリー図柄）：特定小役）
当選種類が特定小役（チェリー）である場合に対応する図柄が、特定小役図柄（チェリー図柄）である。チェリー図柄は単一リール（左リール１０ａ）の表示窓８内の有効ラインに停止する態様となっただけでメダルの払出し（２枚）が行なわれる。
【０１２７】
つまり、チェリー図柄からは、２枚のメダルが払出されるという特典が得られることになる。左リール１０ａのみの停止態様だけで特典が得られるチェリー図柄は残りの中・右リールの図柄の組み合わせに影響されないため（中・右リールはどの図柄が停止した態様でもよい）、チェリー図柄の組み合わせとして「チェリー−ＡＮＹ−ＡＮＹ」と表されることもある。
【０１２８】
また、チェリー図柄は左リールのみをよく狙って停止させれば当選した場合の特典を得ることができるため、全てのリールを目押ししなければならない他の当選図柄に比較して目押しの労力をさほど必要としない。このため、各リール１０ａ，１０ｂ，１０ｃごと、それぞれの配置は少なく（各リールとも概ね３〜５個配置される程度）、付与されるメダル数も他の当選種類に比べて少ない。このように、ある程度目押しをしないと取りこぼしが生じるようチェリー図柄の配置を少なくして、遊技者の目押しの技量の入る余地を持たせている
【０１２９】
それでも左リール１０ａのチェリー図柄を正確に停止させることができれば当選したチェリーの特典を得られるため、リプレイに比べて内部抽選で当選し辛くなっているものの、リプレイと同様、ゲーム進行におけるメダルの大量消費を抑えることのできる重要な当選種類としての役割を持っている。
【０１３０】
またチェリーを単一リールの有効ラインに停止するだけで特典を付与させることにより他のリールの図柄にチェリー図柄以外の図柄をより多く配置することが可能となる（例えば前記の他のリールにはチェリー図柄を設けない）。このため、チェリー図柄以外の当選図柄の配置にバリエーションを多く持たせることができ、遊技者に豊富な出目を見せることが可能となる。
【０１３１】
なお、チェリー図柄の特典が付与されるリールを必ずしも左リール１０ａに限定することはなく、中リール１０ｂ、右リール１０ｃの表示窓８内の有効ラインにチェリー図柄が停止した場合に特典が付与されることとしてもよい。つまり「ＡＮＹ−チェリー−ＡＮＹ」または「ＡＮＹ−ＡＮＹ−チェリー」となると特典を得ることができる。あるいは、左・中・右の３つリールのうち２つのリールのチェリー図柄が表示窓８内の有効ラインに停止したときの組み合わせ態様で特典を付与することとしてもよい。つまり「チェリー−チェリー−ＡＮＹ」、「ＡＮＹ−チェリー−チェリー」、「チェリー−ＡＮＹ−チェリー」となると特典を得ることができる。
【０１３２】
上記のいずれであっても、左・中・右の３つのリールの内の少なくとも１つ（あるいは２つ）のリールのチェリー図柄を狙って停止操作を行なうだけで特典が得られることが望ましい。これは遊技者が３つのリール全てを毎ゲーム目押しして停止操作する負荷を軽減させることにもなるからである。
【０１３３】
（２−１−４．一般小役図柄（ベル図柄、スイカ図柄）：一般小役）
当選種類が一般小役であった場合に対応する図柄が、一般小役図柄（ベル図柄またはスイカ図柄）である。ベル図柄の組み合わせ態様「ベル−ベル−ベル」またはスイカ図柄の組み合わせ態様「スイカ−スイカ−スイカ」が表示窓８内の有効ラインに停止するとそれぞれ１０枚、１５枚のメダルの払出しが行われる。
【０１３４】
つまり、ベルおよびスイカという一般小役図柄が揃うと、それぞれに対応した枚数のメダルが払出されるという特典が得られることになる。そのため一般小役は、通常遊技にあって、メダルの増加が期待できる当選種類である。しかし、一般小役に過度に当選してしまうと、遊技者の獲得するメダルが過剰に増加してしまい、ホールとの利益バランスが崩れてしまう。それを回避するために、一般小役図柄は、各リール１０ａ，１０ｂ，１０ｃごとの配置を少なくして（各リールとも概ね３〜８図柄おきに１個配置する程度）、遊技者が各リールを正確に目押ししないと特典を得ることが難しくなっている。
【０１３５】
なお、当該遊技機では、一般小役はベルとスイカという複数の種類を用意している。そのため、内部抽選で当選する割合にベルとスイカとで差を設けている（例えば、ベルは当選し易く、スイカは当選し辛い）。更に、ベルは目押しの技量をほとんど必要とせずともベル図柄を揃えられるものとし、一方、スイカは目押しの技量を相当発揮しないとスイカ図柄を取りこぼしてしまうものとしている。このような形態とすると、ベルとスイカとの間に価値（付与される遊技価値の差に加えて目押しの必要度の差）に差を設けることができ、初級の遊技者から上級の遊技者まで満足のできるゲーム性（目押しの難易度）を持たせることが可能となる。
【０１３６】
（２−１−５．ＪＡＣ図柄）
図７のＪＡＣイン図柄、およびＪＡＣ図柄については、図柄としてはリプレイ図柄と同じものである。しかし、これらＪＡＣイン図柄およびＪＡＣ図柄は「ＢＢゲーム」または「ＲＢゲーム」の中でのみ有効となる役割を持ったものであり、単なるリプレイ図柄とは特典内容の異なる図柄であり、専用の図柄を別途設けてもよい。なおＪＡＣ図柄の詳細な説明は、ビッグボーナス遊技処理およびＲＢ／ＪＡＣゲーム遊技処理にて行なう。
【０１３７】
（３．リール停止処理：停止制御手段）
図８は、一例としてテーブル方式によるリール停止処理の内容を示している。リール制御については公知の技術を適用できるため、ここでは処理の流れを概略的に説明する。
【０１３８】
リール停止処理では先ず、該当するゲームでの当落結果を表す成立フラグにしたがってリール制御テーブルが選択される（ステップＳ２０１）。なお、リール制御テーブルは予め全ての当落結果について複数のパターンのものが用意されており、これらは読み出し専用のテーブルデータとしてメイン制御基板９２のＲＯＭ１１２に格納されている。
【０１３９】
適切なパターンのリール制御テーブルが選択された状態で、停止ボタン２０，２２，２４が押されるまで待ち受け状態となる（ステップＳ２０２，Ｓ２１０，Ｓ２１７）。これらの待ち受け状態で、左・中・右の各リール１０ａ，１０ｂ，１０ｃが既に停止しているか否か、あるいは第１リール停止フラグが立っていない状態（＝０）であるか否かが判断されるとともに、あわせて左・中・右のいずれかの停止ボタン２０，２２，２４が押されたか否かが判断される。いずれの停止ボタン２０，２２，２４も押されていなければ、ステップＳ２０９の判断が否定（Ｎｏ）されてステップＳ２０２以降が繰り返される。なおステップＳ２０２の判断において、左リール１０ａが第１番目に停止するリールとなる場合を通則操作手順として規定し（通則操作手順検出手段）、左リール１０ａ以外の中リール１０ｂまたは右リール１０ｃが第１番目に停止するリールとなる場合を非通則操作手順として規定するものとする（非通則操作手順検出手段）
【０１４０】
また、通則操作手順、つまり、左停止ボタン２０→（中停止ボタン２２→右停止ボタン２４の順、あるいは、右停止ボタン２４→中停止ボタン２２の順）の操作のことを順押し（または順はさみ押し）と呼び、非通則操作手順、つまり、左停止ボタン２０以外の停止ボタンを始めに押す操作を変則押しと呼ぶ。リール停止制御は、この２つの停止制御に大別することができる。
【０１４１】
（３−１．順押し）
「順押し」または「順はさみ押し」の手順に沿って最初に左停止ボタン２０が押されたとすると（ステップＳ２０２＝Ｙｅｓ）、左停止ボタン２０が押された時点では第１リール停止フラグが立っていない（ステップＳ２０３＝Ｙｅｓ）ため、左リール１０ａについて第１リール停止処理（ステップＳ２０４）が実行される。なお、ここでいう「第１リール停止処理」とは、１番目にリールを停止させる処理という意味である。
【０１４２】
左リール１０ａについて第１リール停止処理（ステップＳ２０４）が行われると、該当する成立フラグに対応した複数パターンのリール制御テーブルのなかから、乱数値に基づいて１つのテーブルパターンが選択される。これは、例えば、１つの当選種類「リプレイ」について、リール１０ａ〜１０ｃ上にあるリプレイ図柄を有効ライン上に停止させるために予め複数パターンのリール制御テーブルが用意されているが、前記テーブルの中から１つのパターンが選択されることを意味する。そして、１つのパターンが選択されると、該当するリール制御テーブルに基づいてリール１０ａから１０ｃの停止位置が制御される。これにより、リプレイ図柄が有効ライン上のどこかで停止されることとなる。
【０１４３】
ステップＳ２０４で左リール１０ａについて第１リール停止処理が行われるとともに、このときメイン制御基板９２は、左リール１０ａの停止目を表す停止情報コマンド（第１停止情報コマンド）をサブ制御基板９４に送信する。
【０１４４】
次のステップＳ２０６では残りの中・右リール１０ｂ，１０ｃについてそれぞれリール制御テーブル（停止テーブル）が乱数抽選により決定される。具体的には、図１において左リール１０ａの停止時にリプレイ図柄が下段位置に停止されたとすると、停止された時点で図柄の組み合わせが表示されるラインとして下段ラインまたは右上がりラインの２通り（ＭＡＸベットの場合）が選択可能となるが、ここでは乱数抽選によっていずれか一方（例えば右上がりライン）が選択される。なお、乱数抽選の振り分け率は半々程度でよい。
【０１４５】
なお、リール停止制御テーブルで当選した図柄を停止させるためのラインを予め決定する形態としてもよい。こうすると左リール１０ａ（または第１リール）を停止させた時点では既にどの有効ラインに該当図柄を停止させるのか決定しているため、前記ステップＳ２０６に示した乱数抽選を行なう必要が無くなり、メイン制御基板９２の負荷を軽減することができる。ただし、予め決定されたラインに該当図柄を停止させることにより、左リール１０ａについて、当選していないにも関わらずチェリー図柄が該当する有効ライン上に停止してしまう場合には、これを回避するために、予め決定されたラインを変更させて再度ラインを決めなおす乱数抽選等を行なうこととしてもよい。
【０１４６】
以上の処理（ステップＳ２０６）が行われると、続いて第１リール停止フラグがＯＮ（＝１）にされるとともに（ステップＳ２０７）、左リール停止フラグがＯＮ（＝１）にされる（ステップＳ２０８）。左リール停止フラグがＯＮ（＝１）になった段階では全てのリール１０ａ〜１０ｃが停止していないので、ステップＳ２０９の判断が否定（Ｎｏ）されてステップＳ２０２以降が実行される。
【０１４７】
すると、このとき既に左リール１０ａが停止しているので（ステップＳ２０２＝Ｎｏ）、順押し手順に沿って２番目に中停止ボタン２２が押されると（ステップＳ２１０＝Ｙｅｓ）、第１リール停止フラグの判定（ステップＳ２１１＝Ｎｏ）を経て中リール停止処理（ステップＳ２１３）が実行される。中リール停止処理では、先に中リール１０ｂについて選択されているリール制御テーブル（停止テーブル）に基づいて停止位置が制御される。これにより、上記の右上がりに図柄が組み合わせとして表示されるラインの例でいうと、中リール１０ｂ上のリプレイ図柄が中段位置に停止することとなる。また停止目上は、右上がりライン上で左・中リール１０ａ，１０ｂにリプレイ図柄が２つ揃った状態（いわゆる「右上がりテンパイ」）となる。このときメイン制御基板９２は、中リール１０ｂの停止目を表す停止情報コマンド（第２停止情報コマンド）をサブ制御基板９４に送信する。また、この場合、中リール１０ｂは第２停止であるためステップＳ２１２，Ｓ２１４，Ｓ２１５は全て迂回され、ステップＳ２１６にて中リール停止フラグがＯＮ（＝１）にされるだけとなる。
【０１４８】
同様にして、最後に右停止ボタン２４が押されると（ステップＳ２１７＝Ｙｅｓ）、第１リール停止フラグの判定（ステップＳ２１８＝Ｎｏ）を経て、先に右リール１０ｃについて選択されているリール制御テーブル（停止テーブル）に基づいて停止位置が制御される（ステップＳ２２０）。これにより、３番目の右リール１０ｃ上のリプレイ図柄が上段位置に停止するので、全リール停止時の出目は、右上がりライン上にリプレイ図柄が３つ揃った状態となる。このときメイン制御基板９２は、右リール１０ｃの停止目を表す停止情報コマンド（第３停止情報コマンド）をサブ制御基板９４に送信する。またこの場合、右リール１０ｃは第３停止であるためステップＳ２１９，Ｓ２２１，Ｓ２２２は全て迂回され、ステップＳ２２３にて右リール停止フラグがＯＮ（＝１）にされる。
【０１４９】
ここまでの処理を経て全リール停止フラグがＯＮになると、ステップＳ２０９の判断が肯定（Ｙｅｓ）されるため、メイン制御基板９２による処理は本ルーチンを抜ける。
【０１５０】
なお、「順はさみ押し」の手順は、左リール１０ａが停止後に右停止ボタン２４の押下、最後に中停止ボタン２２の押下となるだけであり、「順押し」の手順と大幅な差異がないため説明は省略する。
【０１５１】
（３−２．変則押し）
変則押しは更に、中停止ボタン２２を最初に押下する「中押し」と、右停止ボタン２４を最初に押下する「逆押し」および「逆はさみ押し」に分けることができる。
【０１５２】
「中押し」の手順に沿って最初に中停止ボタン２２が押されると（ステップＳ２１０＝Ｙｅｓ，ステップＳ２１１＝Ｙｅｓ）、中リール１０ｂについて第１リール停止処理（ステップＳ２１２）が実行される。このときメイン制御基板９２は、中リール１０ｂの停止目を表す停止情報コマンド（第１停止情報コマンド）をサブ制御基板９４に送信する。
【０１５３】
中リール１０ｂについて第１リール停止処理（ステップＳ２１２）が行われると、該当する成立フラグに対応した複数パターンのリール制御テーブルのなかから、乱数値に基づいて１つのテーブルパターンが選択される。
【０１５４】
例えば、当選種類がベルであった場合、ベル図柄が中リール１０ｂの中段位置に停止したとする。次のステップＳ２１４では残りの左・右リール１０ａ，１０ｃについてそれぞれリール制御テーブル（停止テーブル）が乱数抽選によって決定される。この時点でベル図柄の組み合わせが表示されるラインとして中段ラインまたは右上がりラインまたは右下がりラインの３通り（ＭＡＸベットの場合）が選択可能となるが、ここでは乱数抽選によっていずれか一方（例えば右上がりライン）が選択される。なお、乱数抽選の振り分け率は３つとも均等となる程度でよい。
【０１５５】
なお、リール停止制御テーブルで当選した図柄を停止させるためのラインを予め決定する形態としてもよい。こうすると中リール１０ｂを停止させた時点では既にどの有効ラインに該当図柄を停止させるのか決定しているため、前記ステップＳ２０６に示した乱数抽選を行なう必要が無くなり、メイン制御基板９２の負荷を軽減することができる。
【０１５６】
以上の処理（ステップＳ２１４）が行われると、続いて第１リール停止フラグがＯＮ（＝１）にされるとともに（ステップＳ２１５）、中リール停止フラグがＯＮ（＝１）にされる（ステップＳ２１６）。中リール停止フラグがＯＮ（＝１）になった段階では全てのリール１０ａ〜１０ｃが停止していないので、ステップＳ２０９の判断が否定（Ｎｏ）されてステップＳ２０２以降が実行される。
【０１５７】
すると、このとき既に中リール１０ｂが停止しているので（ステップＳ２１０＝Ｎｏ）、２番目に右停止ボタン２４が押されると（ステップＳ２１７＝Ｙｅｓ）、第１リール停止フラグの判定（ステップＳ２１８＝Ｎｏ）を経て右リール停止処理（ステップＳ２２０）が実行される。右リール停止処理では、先に右リール１０ｃについて選択されているリール制御テーブル（停止テーブル）に基づいて停止位置が制御される。これにより、上記の中段ラインに図柄が組み合わせとして表示される例でいうと、右リール１０ｃ上のベル図柄が中段位置に停止することとなる。また停止目上は、中段ライン上で中・右リール１０ｂ，１０ｃにベル図柄が２つ揃った状態（「中段テンパイ」）となる。このときメイン制御基板９２は、右リール１０ｃの停止目を表す停止情報コマンド（第２停止情報コマンド）をサブ制御基板９４に送信する。またこの場合、右リール１０ｃは第２停止であるためステップＳ２１９，Ｓ２２１，Ｓ２２２は全て迂回され、ステップＳ２２３にて右リール停止フラグがＯＮ（＝１）にされるだけとなる。
【０１５８】
同様にして、最後に左停止ボタン２０が押されると（ステップＳ２０２＝Ｙｅｓ）、第１リール停止フラグの判定（ステップＳ２０３＝Ｎｏ）を経て、先に中リール１０ｂについて選択されているリール制御テーブル（停止テーブル）に基づいて停止位置が制御される（ステップＳ２０５）。これにより、３番目の左リール１０ａ上のベル図柄が中段位置に停止することとなるため、全リール停止時の出目は、中段ライン上にベル図柄が３つ揃った状態となる。このときメイン制御基板９２は、左リール１０ａの停止目を表す停止情報コマンド（第３停止情報コマンド）をサブ制御基板９４に送信する。またこの場合、左リール１０ａは第３停止であるためステップＳ２０４，Ｓ２０６，Ｓ２０７は全て迂回され、ステップＳ２０８にて右リール停止フラグがＯＮ（＝１）にされる。
【０１５９】
ただし、左リール１０ａの停止位置によっては中段にベル図柄が停止する制御を行なうことが不可能な位置があり、その場合には、左リール１０ａの中段位置にベル図柄を停止させることができない（いわゆるスベリ制御が行なわれる）。このスベリ制御については後述する。
【０１６０】
ここまでの処理を経て全リール停止フラグがＯＮになると、ステップＳ２０９の判断が肯定（Ｙｅｓ）されるため、メイン制御基板９２による処理は本ルーチンを抜ける。
【０１６１】
「逆押し」または「逆はさみ押し」の手順に沿って最初に右停止ボタン２４が押された場合は（ステップＳ２１７＝Ｙｅｓ、ステップＳ２１８＝Ｙｅｓ）、右リール１０ｃについて第１リール停止処理（ステップＳ２１９）が実行される。以降は「中押し」と同様である。またこの「逆押し」、「逆はさみ押し」も、以下で説明するスベリ制御により当選種類を獲得することが不可能な場合がある。
【０１６２】
（３−３．変則押し時のスベリ制御）
（３−２．変則押し）でも最後に述べたが、変則押しをした場合には、停止するリール（特に左リール１０ａ）の図柄列の位置によっては、当選図柄を取りこぼしてしまう位置がある。図９は中リール１０ｂおよび右リール１０ｃがすでに停止していて、ベル図柄が「右上がりテンパイ」となっており、遊技者が残りの左リール１０ａにベル図柄を停止させるべく左停止ボタン２０を押下しようとしている状況を示している。なお、このとき内部抽選ではベルが当選しているとする。
【０１６３】
ここで、遊技者が、図３の左リール１０ａの図柄列のうち１番の「Ｖ図柄」を表示窓８内の上段位置に停止させるように狙って左停止ボタン２０を押下したとすると、２１番の「ベル図柄」が右上がりラインの残りを形成する左リール下段に停止する。このとき、遊技者は、１番の「Ｖ図柄」を表示窓８内の上段位置に停止するように押下したのに、実際は表示窓８内の中段位置に１番の「Ｖ図柄」が停止する結果となっている（図１０（ａ）〜図１０（ｂ））。このときはスベリ制御が行なわれて１図柄分（１コマ）ずれて（リールの回転方向に移動して）停止したことになる。このようにスベリ制御が行なわれた場合、ずれた図柄分に対応して１コマスベリ、２コマスベリ等と呼ぶ。なおスベリ制御は最大で４コマ（４図柄分）まで可能となっている。更にこのスベリ制御は左リール１０ａのみならず，中リール１０ｂ，右リール１０ｃにも同様に行なわせることができる。
【０１６４】
次に、図１１では、図９と同じ状況下で、遊技者が図３の左リール１０ａの図柄列のうち１０番の「ベル図柄」を左リール上段から中段位置辺りで停止させようと狙って左停止ボタン２０を押下したとすると、１０番の「ベル図柄」は中段位置から下段位置を越えて表示窓８内を通り過ぎて表示窓８外の見えない位置まですべっていってしまう（図１１（ａ）〜図１１（ｃ））。このときは４コマのスベリ制御が行なわれている。
【０１６５】
ここで、何故１０番の「ベル図柄」が当選しているにも関わらず停止しなかったのかというと、１１番の「チェリー図柄」を表示窓８内に停止させないように制御が行なわれたためである。つまり、１１番の「チェリー図柄」を表示窓８内の下段位置から更に１個の図柄分だけ移動した位置で停止させるスベリ制御が行なわれた結果、１０番の「ベル図柄」までも合わせて表示窓８内から表示窓８外へ移動してしまったのである。
【０１６６】
本来であれば、１０番の「ベル図柄」を表示窓８内の下段位置に停止させて「ベル図柄」を右上がりの有効ラインに揃えるべきであるが、１０番の「ベル図柄」を表示窓８内の下段位置に停止させてしまうと、１１番の「チェリー図柄」が表示窓８内の中段位置に停止してしまうこととなる。
【０１６７】
これについては判定処理で詳しく説明するが、仮に１０番の「ベル図柄」を表示窓８内の下段位置に停止させる制御を行なってしまうと、ベルとチェリーとが同時に停止時の図柄組み合わせ態様として表示されたことになり、メダルの払出しが重複して行われることとなってしまう。この場合はベル１０枚＋チェリー２枚＝１２枚のメダル払出しが行われてしまうこととなる。これでは本来当選していたベルの払出し１０枚を超えた過剰なメダルの払出しが行われてしまうこととなり、ホールにとっては著しい不利益となってしまう。
【０１６８】
更に、上記のような重複した払い出しが許されてしまうと、スイカとベルとの重複なども可能となってしまう危惧が生じる。つまり、スイカ１５枚＋ベル１０枚＝２５枚の払出しとなりスロットマシン１の遊技性に矛盾が生じることになってしまう。そのためゲームの健全性が損なわれ、遊技者の射幸心を極度に煽り、その結果として、ホールに不利益を招く遊技機として早々に撤去されてしまうといった事態を招来してしまうことも危惧される。こうした事態を回避するために、本実施形態のスロットマシン１では、当選種類を重複して獲得できるような制御は行なわない。こうすると遊技者は変則押しをして図９のように「ベル図柄」が右上がりテンパイとなった場合は、左リール１０ａのチェリー図柄の位置から判断して極力「チェリー図柄」の影響を受けない箇所を狙って停止操作を行なおうと考えることとなる（例えば、図３の１４番の「チェリー図柄」を狙う等）。
【０１６９】
なお、順押し（順はさみ押し）をした場合、左リール１０ａの停止が第１番目となるため、内部抽選でチェリー非当選時に「チェリー図柄」を表示窓８内に停止することを回避することだけできれば良い。そのため、「チェリー図柄」を表示窓８内から回避したうえで、内部抽選の当選結果に対応した図柄（該当図柄）が停止操作が受け付けられた時点に表示窓８内に現れている図柄からみて最大スベリコマ数の可能な範囲にあれば、該当図柄を表示窓８内に停止させることが可能である。この際に行なわれる「チェリー図柄」回避制御としては、「チェリー図柄」を表示窓８内の上段位置に到達する前の位置（枠上、以下では枠上という）までで停止させる回避制御（特定小役図柄前停止制御手段）、あるいは、「チェリー図柄」を表示窓８内の下段位置から１個の図柄分リールの回転方向に移動した位置（枠下、以下では枠下という）まで移動させてから停止させる回避制御（特定小役図柄後停止制御手段）が行なわれることとなる。
【０１７０】
上記の順押しで、左リール１０ａが停止した際に該当図柄が表示窓８内の上段位置、中段位置、下段位置のいずれかで停止した態様となった場合、該当図柄が揃う有効ラインが決まることになるが、中リール１０ａおよび右リール１０ｃの停止制御についても、それぞれのリールの停止操作が受け付けられた時点で、揃う有効ライン上に現れている図柄から最大スベリコマ数の範囲内に該当図柄があれば、スベリ制御により揃う有効ラインに停止させることが可能となる（通則操作手順図柄停止制御手段）。
【０１７１】
以上が変則押し時のスベリ制御であるが、以下では、上記のような「チェリー図柄」に関係する取りこぼしを回避する停止制御について説明する。
【０１７２】
（３−４．取りこぼし回避制御：図柄前停止制御手段、図柄後停止制御手段）
図１１（ａ）〜（ｃ）のように「取りこぼし」をしてしまうことは遊技者にとって非常に不利なことである。そこで本実施形態のスロットマシン１では、遊技者の停止操作の順番に因らず所定当選種類の取りこぼしを回避できる制御（取りこぼし回避制御）を行なうことができる。ここで、所定当選種類に限定して「取りこぼし回避制御」を行なうのは、仮に乱数抽選で当選した当選種類の全てを取りこぼすことがない制御を可能とした場合、それはもはやスロットマシンとはいえず、ただの抽選機械となってしまうことを考慮したものである。なぜならば、スロットマシン等の回胴式遊技機は、３つのリールを遊技者が狙って停止させて目押しの技量を発揮する遊技機だからである。つまり遊技者がしっかりと図柄に狙いを定めて停止操作を行なった結果、該当図柄が揃ったことに喜びを見出すものだからである。このことから、順押しでも変則押しでも狙わないと取りこぼす当選種類を設けることで、遊技者の技術の入り込む余地を与えている。そのため、遊技者は自分の目押しの技量を向上させようという前向きな意欲を持ってゲームを行なうこととなる。
【０１７３】
本実施形態のスロットマシン１では、リプレイが当選した場合に取りこぼし回避制御が行なわれる。これは前述した通り、スロットマシン１の当選種類の中でもリプレイはゲーム進行上での遊技者の単位時間当りのメダル消費をある程度一定の範囲に保つことの可能な非常に重要な当選種類であるためである。また、リプレイは、メダルの払出しを伴わない当選種類であるため、リプレイを取りこぼさないこととしても、ホールにとっては不利益とならないからである。
【０１７４】
図３のリール図柄配列によると、リプレイに当選したときに順押しまたは順はさみ押しを行なった場合には、各リール１０ａ，１０ｂ，１０ｃを狙わずに適当に停止操作したとしても必ず「リプレイ図柄」を揃える停止制御を行なうことができる。これは前述したスベリ制御により、最大４図柄分の図柄を滑らせることが可能だからである。図３で、各リール１０ａ，１０ｂ，１０ｃともに「リプレイ図柄」と「リプレイ図柄」の間は最大でも４図柄分の他図柄（リプレイ図柄以外の図柄）の配置となっている。なお、以下では、図３のリール配列図上の図柄番号（図３の１〜２１までの数字と対応する図柄）を、１番の「リプレイ図柄」といった名称で統一する。
例えば、
『リプレイ図柄（ａ）−他図柄（１）−他図柄（２）−他図柄（３）−他図柄（４）−リプレイ図柄（ｂ）』
といったリール配列（図３では、中リール１０ｂの図柄配列での６番の「リプレイ図柄」〜１１番の「リプレイ図柄」が該当するため、これを例として取り上げる）の場合、
〔  ６番の「リプレイ図柄」→７番の「チェリー図柄」→８番の「７図柄」→９番の「チェリー図柄」→１０番の「ベル図柄」→１１番の「リプレイ図柄」  〕
という順番にリールが回転していく方向を定めると（つまり、６番の「リプレイ図柄」が先に表示窓８内に現れ、次に７番の「チェリー図柄」という順番に次々に移動する）、上記で７番の「チェリー図柄」で停止操作を行なうと、１１番の「リプレイ図柄」までは４図柄分移動させることで「リプレイ図柄」を表示窓８内の有効ラインに停止させることができる。そのため、リールの回転方向から見て、どんなに「リプレイ図柄」から遠い位置（上記では、７番の「チェリー図柄」）で停止操作を行なっても最大４図柄分まですべると図柄配列上では次にあるリプレイ図柄（上記の１１番の「リプレイ図柄」）を表示窓８内の有効ラインに停止させることができるため、「リプレイ図柄」を表示窓８内に停止させて有効ラインにテンパイした状態を形成することが可能となる。これが各リール１０ａ，１０ｂ，１０ｃ全てに当てはまるため、リプレイに当選し、順押しまたは順はさみ押しをした場合、リプレイを取りこぼすことがない。
【０１７５】
次に、内部抽選でリプレイに当選し、変則押しを行なった場合について説明する。この場合、中リール１０ｂおよび右リール１０ｃ上の「リプレイ図柄」を下段テンパイ若しくは右上がりテンパイさせる。図１２は、「リプレイ図柄」が下段テンパイ若しくは右上がりテンパイとなっている状態を示している。
【０１７６】
この状態から、左リール１０ａ上の「リプレイ図柄」が表示窓８の下段位置に止まることで「リプレイ図柄」が揃うこととなる。上記の下段テンパイとなるか右上がりテンパイとなるかについては予めどちらにするか決めておく形態や、リール停止の際に抽選等により決定する形態であってもよい。以下の図１３、図１４、図１５では、中リール１０ｂ、左リール１０ｃが停止して「リプレイ図柄」がテンパイしている状態から左リール１０ａの停止操作が行なわれる場合について具体的に説明する。なお下段テンパイおよび右上がりテンパイのいずれであっても、左リール１０ａが表示窓８内の下段位置に停止すると「リプレイ図柄」が揃ったことになるため、下段テンパイおよび右上がりテンパイとも図示しているが、実際には、いずれか１つの「テンパイ状態」となることを付け加えておく。
【０１７７】
図１３（ａ）では、左リール１０ａの１番の「リプレイ図柄」を中段位置付近で停止操作を行なった結果、１番の「リプレイ図柄」が表示窓８の下段位置に停止したところを表している。ここで５番の「チェリー図柄」は枠下に停止している。
【０１７８】
図１３（ｂ１）では、左リール１０ａの１番の「リプレイ図柄」を下段位置に狙ったが停止操作が遅れてしまい、５番の「チェリー図柄」が表示窓８内に現れている状況を示している。ここで内部抽選ではチェリーに当選していないため、「チェリー図柄」が表示窓８内に停止することを回避する制御が行なわれ、図１３（ｂ２）に示すとおり、５番の「チェリー図柄」を枠下に停止させることとなる。このとき合わせて、６番の「リプレイ図柄」が表示窓８内の下段位置に停止することとなり、「リプレイ図柄」が揃うこととなる。ここでは「チェリー図柄」を表示窓８の上段位置、中段位置、下段位置のいずれの位置にも停止しないようスベリ制御が行なわれたことになる。
【０１７９】
もちろん「リプレイ図柄」と「リプレイ図柄」の間に「チェリー図柄」が配置されていない位置（図３の６番の「リプレイ図柄」〜１０番の「リプレイ図柄」、１５番に「リプレイ図柄」〜１９番の「リプレイ図柄」、１９番の「リプレイ図柄」〜１番の「リプレイ図柄」の各図柄の間）でもスベリ制御により「リプレイ図柄」を表示窓８内の下段位置に停止させることが可能である。
【０１８０】
次に、「リプレイ図柄」を下段ライン若しくは右上がりラインに限定して停止させる制御を行なうこととした理由を説明する。図３の左リール１０ａの図柄配列でみると、５番および１４番の「チェリー図柄」の前には３図柄分の他図柄を挟んで「リプレイ図柄」が配置されており（この「リプレイ図柄」のことを「チェリー前リプレイ図柄」という）、５番および１４番の「チェリー図柄」の後には０図柄分の他図柄を挟んで（つまり他図柄を挟まず）、「リプレイ図柄」が配置されている（この「リプレイ図柄」のことを「チェリー後リプレイ図柄」という）。このため、５番および１４番の「チェリー図柄」を表示窓８の枠外（枠上、枠下を含む表示窓８の外の位置）に停止させ、かつ「チェリー前リプレイ図柄」あるいは「チェリー後リプレイ図柄」を表示窓８内に表示させることができる位置としては下段位置となることが決まる。従って、中リール１０ｂおよび右リール１０ｃを停止させたときに「リプレイ図柄」が下段テンパイ若しくは右上がりテンパイとなるよう停止制御を行なうこととしたのである。
【０１８１】
上記のとおり、左リール１０ａの図柄配列上で「チェリー図柄」の前に３個の他図柄、「チェリー図柄」の後に０個の他図柄を挟んで「リプレイ図柄」を配置することで、変則押し時にも揃えることのできるラインを限定することで、リプレイの取りこぼしを回避することができる。また、この場合、「チェリー図柄」を間に挟んだ「リプレイ図柄」から「リプレイ図柄」までの図柄数を最大で４図柄（「チェリー図柄」を含む）とすることにより、表示窓８内に「チェリー図柄」が現れる（あるいは現れる虞のある）停止操作が受け付けられても、「チェリー図柄」を回避しつつ「リプレイ図柄」を揃えることができるのである。これにより内部抽選で当選したリプレイは変則押ししても取りこぼすことがなくなり、遊技者が自分の好きなようにリール停止操作を行なっても極力不利益を被ることがなくなる。
【０１８２】
（３−５．擬似テンパイ制御：図柄前特定態様不許容停止制御手段、図柄後特定態様不許容停止制御手段）
ここで本実施形態のスロットマシン１の更なる特徴について説明をする。確かに、上記の「取りこぼし回避制御」により、変則押しをしてもリプレイを取りこぼしてしまうことがなくなるため、遊技者は不利益となることを心配せずに自由なリールの停止操作を行なうことができる利点がある。
【０１８３】
一方、変則押しをして「リプレイ図柄」がテンパイした状態になると、必ず「リプレイ図柄」が揃うことにしてしまうと、遊技者は最後のリール（左リール１０ａ）を停止させるより前に内部抽選でリプレイに当選したことが分かってしまうため、全てのリールを停止させるまで、内部抽選でいずれの当選結果が得られたのかの興味が半減してしまう。
【０１８４】
そこで、本実施形態のスロットマシン１では、内部抽選でリプレイ以外の当選結果が得られた場合にも、変則押しを行なうと「リプレイ図柄」がテンパイした状態を作り出すことができる。上記の制御を「擬似テンパイ制御」と呼称する。この「擬似テンパイ制御」により「リプレイ図柄」がテンパイした状態となっても、「リプレイ図柄」が揃うとは限らなくなるため、遊技者は最後のリール（左リール１０ａ）を停止させるまで、興味を半減させることなくゲームを楽しむことが可能となる。
【０１８５】
また、「擬似テンパイ制御」は、内部抽選の当選結果として特別当選種類（ＢＢまたはＲＢ）が得られた場合に行なうことにより、「リプレイ図柄」がテンパイした状態になると、そのまま「リプレイ図柄」が揃うか、あるいは「リプレイ図柄」が揃わないかといういずれの結果となるかの期待を遊技者に持たせることができる。つまり、遊技者は、「リプレイ図柄」が揃えば、次回のゲームで再遊技を行なうことができるのでメダルを新たに消費せずに済むという安心感が得られるし、「リプレイ図柄」が揃わなかったら、ＢＢ若しくはＲＢに当選したことを確信（察知、知覚）することとなり、リプレイに当選する以上の喜びが得られることとなる。
【０１８６】
次に、図１４では、「擬似テンパイ制御」が行なわれて「リプレイ図柄」がテンパイしている状況を示している。図１４（ａ）では、左リール１０ａに１番の「リプレイ図柄」を表示窓８内の中段位置付近に狙って停止させたところである。このとき遊技者は、「リプレイ図柄」が表示窓８内の下段位置に当然停止するものだと半ば確信している。その理由としては、この場合「チェリー図柄」が表示窓８内に現れる前に停止させることが可能な範囲であるため、「リプレイ図柄」が表示窓８内の下段位置に停止するのに問題（障害）が無いからである。ところが、図１４（ｂ）では、「リプレイ図柄」が表示窓８内の下段位置に停止せずに通り過ぎていき、結果として表示窓８の枠下で停止している（図１４（ｃ））。
【０１８７】
図１５も、図１４と同じように「擬似テンパイ制御」が行なわれている状況を示している。図１５（ａ）では、１番の「リプレイ図柄」を表示窓８内に目押しすることに失敗して、５番の「チェリー図柄」が表示窓８内に現れているところを示している。目押しには失敗したものの、このとき遊技者は、５番の「チェリー図柄」の上に位置する６番の「リプレイ図柄」が表示窓８内の下段位置にスベリ制御により停止するはずであろうと安心している。ところが、図１５（ｂ）から図１５（ｃ）では、５番の「チェリー図柄」が表示窓８内に停止することが回避されたにもかかわらず、６番の「リプレイ図柄」までも表示窓８の枠下で停止している。
【０１８８】
上記のことから、「擬似テンパイ制御」では、「取りこぼし回避制御」と同様の「リプレイ図柄」のテンパイラインを形成しつつも、最終的には「リプレイ図柄」が揃わない制御を行なう。これは、「取りこぼし回避制御」で、左リール１０ａの図柄配列上から、「チェリー前リプレイ図柄」、「チェリー後リプレイ図柄」の配置に規則性を持たせることでリプレイの取りこぼしを回避することを可能としたことに加えて、あえて取りこぼした状態を作ることも可能とすることにより実施することができる。
【０１８９】
具体的には、「チェリー前リプレイ図柄」が表示窓８内の上段位置に現れた場合、
〔  中段位置→下段位置→枠下  〕
へと、スベリ制御により「チェリー前リプレイ図柄」を移動させることが可能であり、枠下に「チェリー前リプレイ図柄」を停止させてもまだ、「チェリー図柄」を枠上までで停止させることができる。
つまり、２コマのスベリ制御を行なえば、リプレイを揃えることができ、３コマのスベリ制御を行なえば、リプレイを揃えない（テンパイラインからずらして停止させる）ことができるのである。
【０１９０】
あるいは、「チェリー図柄」が表示窓８内の上段位置に現れた場合でも、
〔  中段位置→下段位置→枠下  〕
へと、スベリ制御により「チェリー図柄」を移動させることが可能であり、枠下に「チェリー図柄」を停止させると「チェリー後リプレイ図柄」が表示窓８内の下段位置に停止することとなるが、更に１図柄分だけ移動して停止させることが可能である（スベリ制御では最大で４コマ分の図柄を移動させることができるため）。つまり３コマのスベリ制御を行なえば、リプレイを揃えることができ、４コマのスベリ制御を行なえば、リプレイを揃わせない（テンパイラインからずらして停止させる）ことができるのである。
【０１９１】
（３−６.リール停止制御のまとめ）
以上の内容から、本実施形態のスロットマシン１は、「取りこぼし回避制御」および「擬似テンパイ制御」のいずれかを選択的に決めて行なうことが可能であるといえる。もちろんいずれも選択されないこともあるが、内部抽選の当選結果として、リプレイ若しくはＢＢ（またはＲＢ）が得られた場合に、「リプレイ図柄」をテンパイさせることでリプレイが揃うのか、それともＢＢ（またはＲＢ）に当選したのかという期待を遊技者に持たせることができる。従って、遊技者からすれば、「リプレイ図柄」がテンパイした状態となることは、有利な場合といえる。つまり、リプレイがそのまま揃えば、再遊技を行なえるのでメダルの消費が抑えられるし、リプレイが揃わなければ、ＢＢ（またはＲＢ）に当選したことが確定となり、メダルを大量に獲得できる喜びに満ち溢れることとなる。
【０１９２】
また、「リプレイ図柄」がテンパイした状態となっても、最後のリール（左リール１０ａ）を停止させるまで結果が分からなくなるため、１回のゲームの最後まで遊技者の興趣を持続させることもできる。あるいは、「リプレイ図柄」がテンパイした状態のドキドキ感を味わおうと積極的に変則押しでゲームを楽しもうという遊技者も増える。これは特にゲームに熟練した上級の遊技者などが好んで「リーチ目」を出目として表示させることでスロットマシンの醍醐味を味わいたいという願望を実現させることにもなる。つまり、「リプレイ図柄」がテンパイした状態で、左リール１０ａを目押しした結果、リプレイが揃わなかったことで、『内部抽選でリプレイに当選したことが否定される＝リーチ目』となるためである。
【０１９３】
なお、「擬似テンパイ制御」を行なう当選種類としては、特別当選種類（ＢＢまたはＲＢ）以外、つまり、一般小役（ベル、スイカ）または、はずれ（内部抽選で非当選なった場合）とすることも可能である。しかし、このような場合、「リプレイ図柄」がテンパイした状態となったので、リプレイが揃うものだと思って最終リール（左リール１０ａ）を停止させたにも関わらず、何も揃わず、挙句に次回以降のゲームでもリーチ目も表れず、何もなかったかのようにゲームが進行していくと、遊技者は非常に損をした気分となる。そのため、ＢＢ（またはＲＢ）とするのが望ましい。
【０１９４】
以上がテーブル方式によるリール停止処理の一例である。これとは別にコントロール方式によるリール停止処理があるが、これについても公知の処理を適用可能であるため、ここでは具体的な説明を省略する。また、本実施形態においてコントロール方式またはテーブル方式のいずれのリール停止処理を実行してもよく、どの方式を採用するかは制御プログラムを構築するにあたって適宜決定すればよい。
【０１９５】
なお、本実施形態のスロットマシン１では、「取りこぼし回避制御」および「擬似テンパイ制御」としてリプレイおよび「リプレイ図柄」を用いたが、リプレイに限定されることはない。それぞれリプレイ以外の当選種類および「当選図柄」を用いる態様であってもよい。
【０１９６】
（４．判定処理）
図１６は、判定処理の内容を具体的に示している。上記のリール停止処理によって全てのリール１０ａ，１０ｂ，１０ｃが停止されると、メイン制御基板９２はそのとき表示されている出目を確認する処理を行なう（ステップＳ３０１）
【０１９７】
次に、全リール停止時の出目から組み合わせとして表示された図柄がビッグボーナス図柄（特別当選図柄）であるか（ステップＳ３０２）、レギュラーボーナス図柄（特別当選図柄）であるか（ステップＳ３０３）、小役図柄（特定小役図柄、一般小役図柄）であるか（ステップＳ３０４）、リプレイ図柄（再遊技図柄）であるか（ステップＳ３０５）、それともハズレ図柄であるかがそれぞれ判断される。そして、そのとき組み合わせとして表示された図柄がビッグボーナス（ＢＢ）、レギュラーボーナス（ＲＢ）のいずれかに該当すると判断されると（Ｙｅｓ）、それぞれの図柄の組み合わせが表示されたことを知らせる効果音コマンドがサブ制御基板９４に送信される（ステップＳ３０６、Ｓ３０７）。また、表示された組み合わせの図柄が小役に該当すると判断されると（ステップＳ３０４＝Ｙｅｓ）、各小役図柄に対応した枚数のメダル払出動作がホッパ装置７８に指示されるとともに、払出し音コマンドがサブ制御基板９４に送信される（ステップＳ３０８）。あるいは、リプレイ図柄の組み合わせが表示されたと判断される（ステップＳ３０５＝Ｙｅｓ）と、リプレイ処理（ステップＳ３１１）が実行される。ここでリプレイ処理とは、あらためてメダルを投入もしくはベット操作をすることなく、次回のゲーム時を再遊技として実行できることをいう。その場合の有効ライン数は、リプレイ図柄が揃ったゲームの有効ラインと同じラインとなる（例えば、３ベットしてゲームを開始した結果、リプレイが揃った場合、次ゲーム時に再遊技を開始するときも３ベット時のライン数が有効となる）。
【０１９８】
ビッグボーナス図柄またはレギュラーボーナス図柄の組み合わせを表示することを許容された場合、つまり、図６のフラグ処理において、ビッグボーナス（ＢＢ）またはレギュラーボーナス（ＲＢ）の当選フラグがＯＮとなった場合は、そのときに表示された組み合わせの図柄に応じてビッグボーナス遊技処理（ステップＳ３０９）またはレギュラーボーナス／ＪＡＣゲーム遊技処理（ステップＳ３１０）が実行されて判定処理は終了となる。
【０１９９】
また小役図柄、リプレイ図柄の組み合わせを表示させることを許容された場合は、そのときに表示された組み合わせの図柄に応じて払出しまたはリプレイ処理が実行されて、小役またはリプレイの当選フラグがＯＦＦにされ（ステップＳ３１２、Ｓ３１３）この処理は終了される。なお上記の図柄に応じて払出しが行われることおよびステップＳ３０８は遊技価値付与手段の一例に相当する。また、ハズレフラグＯＮの時や成立フラグに対応する図柄が有効ラインに揃っていない（取りこぼし）場合（ステップＳ３０５＝Ｎｏ）は、ＢＢまたはＲＢ当選フラグ以外の成立フラグがＯＦＦにされて（ステップＳ３１４）同じく判定処理は終了となる。ここでＢＢまたはＲＢ当選フラグ以外の成立フラグがＯＦＦにされる。つまりＢＢまたはＲＢの当選フラグは維持されるということである。なぜなら、ＢＢまたはＲＢは、小役やリプレイが組み合わせとして表示された場合の特典よりも遊技者にとっての特典が有利なためである。このＢＢまたはＲＢの特典が有利なことについては後述する。更にＢＢまたはＲＢはその図柄が各リールに少ない（例えば、１〜３個）ため、ＢＢまたはＲＢ当選フラグがＯＮになった場合でも、その図柄を狙って停止（目押し）させる必要がある。すなわち、ＯＮになったフラグがＢＢまたはＲＢの当選フラグ以外のときは、そのＯＮになったゲームにおいて成立フラグに対応する図柄を揃えられた場合も取りこぼした場合も、その成立フラグは消滅する。しかしＢＢまたはＲＢの当選フラグは当該図柄を揃えるまで維持される。このＢＢまたはＲＢ当選フラグの維持は、遊技者の目押しの技量の差によって、ＢＢまたはＲＢの特典に著しい差を生じさせないために図られた便宜であるともいえる。
【０２００】
なお、ビッグボーナス遊技処理（ステップＳ３０９）またはレギュラーボーナス／ＪＡＣゲーム遊技処理（ステップＳ３１０）に進んだ場合は、これら各処理中においてＢＢまたはＲＢ当選フラグがＯＦＦにされる。
【０２０１】
（５．特別遊技状態）
本実施形態のスロットマシン１において、ビッグボーナス図柄（「７−７−７」）またはレギュラーボーナス図柄（「Ｖ−Ｖ−Ｖ」）で図柄の組み合わせが表示された場合、次回のゲームからそれぞれ「ビッグボーナスゲーム」、「レギュラーボーナスゲーム」と称する特別遊技状態に移行する（特別遊技状態移行手段）。これらビッグボーナスゲームやレギュラーボーナスゲームには複数回のゲーム機会が含まれており、この間に集中してメダル等の払出しの可能性があるため、遊技者にとっては通常よりも有利な状態であるといえる（遊技価値付与機会増加手段）。
【０２０２】
また、ビッグボーナスゲームとレギュラーボーナスゲームとでは、前者の方がより多くのゲーム機会を含むものであり、本実施形態のスロットマシン１では、１回のビッグボーナスゲーム中に最大で所定回数（例えば３０回）の小役ゲームを行なう機会と、最大で規定回数（例えば３回）のＪＡＣゲーム（レギュラーボーナスゲーム）を行なう機会とが含まれる仕様となっている。
【０２０３】
なお、特別遊技状態は、上記のビッグボーナスやレギュラーボーナスに限定されることはなく、遊技者が通常遊技に比べて有利にメダルを獲得できる機会を付与できる形態のものであればよい。以下では、その一例としてビッグボーナスおよびレギュラーボーナスについて説明する。
【０２０４】
（５−１．ビッグボーナス遊技処理：特別遊技状態）
図１７は、ビッグボーナス遊技処理の内容を具体的に示している。ここでは先ず、初期化処理が行われるとともに、小役ゲーム用に乱数抽選の当り値テーブルが変更される（ステップＳ４０１）。ここで変更された当り値テーブルは通常よりも小役の当り値を多く保有しており、それだけビッグボーナスゲーム中は小役の当選確率が高い状態にあるといえる。
【０２０５】
次にビッグボーナスの当選フラグがＯＦＦにされ（ステップＳ４０２）、続いてリール装置１０の始動処理（ステップＳ４０３）および停止処理（ステップＳ４０４）が実行される。これら始動処理および停止処理の内容は既に説明したものと同じである。
【０２０６】
停止処理によって全リール１０ａ，１０ｂ，１０ｃが停止すると、そのときの出目がサブ制御基板９４に送信され（ステップＳ４０５）、そして、内部の小役ゲームカウンタが１つだけカウントアップされる（ステップＳ４０６）。
【０２０７】
次に、全リール１０ａ，１０ｂ，１０ｃ停止時の出目が判断され、ＪＡＣ図柄が揃ったか否か（ステップＳ４０７）、あるいは、小役図柄の組み合わせが表示されたか否か（ステップＳ４１２）が判断される。ここでのＪＡＣ図柄には、例えば通常時にリプレイ図柄として用いられているものを兼用することができるが、別に専用のＪＡＣ図柄が設けられている態様であってもよい。
【０２０８】
判断の結果、ＪＡＣ図柄の組み合わせ、小役図柄の組み合わせのいずれも表示されなかった場合（Ｎｏ）はステップＳ４１５に進んで成立フラグがＯＦＦにされる。この場合は、抽選でハズレフラグがＯＮになっていたか、あるいは当選フラグがＯＮになっていても遊技者が図柄の組み合わせを表示させるよう各リールを停止させることができなかったか、あるいは遊技者が積極的に成立フラグに対応する図柄の組み合わせが表示されないように各リールを停止させたかのいずれかであると考えられる。
【０２０９】
これに対し、ステップＳ４０７またはステップＳ４１２の判断において、それぞれＪＡＣ図柄または小役図柄の組み合わせが表示された場合（Ｙｅｓ）、メイン制御基板９２は当該図柄に対応した枚数のメダル払い出しをホッパ装置７８に指示するとともに、払出し音コマンドをサブ制御基板９４に送信する（ステップＳ４０９，Ｓ４１３）。また、メイン制御基板９２が払い出しを指示すると、その枚数分だけ払出カウンタがカウントアップされる（ステップＳ４０９，Ｓ４１４）。
【０２１０】
なお、ビッグボーナスゲーム中にＪＡＣ図柄の組み合わせが表示されると（ステップＳ４０７＝Ｙｅｓ）、いわゆる「ＪＡＣゲーム」と称されるゲーム機会が遊技者に与えられる。ＪＡＣゲームの内容はレギュラーボーナスゲームと同じであるため、この場合、ステップＳ４０９に続いてＲＢ／ＪＡＣゲーム遊技処理が実行される（ステップＳ４１０）。
【０２１１】
ＲＢ／ＪＡＣゲーム遊技処理の内容については更に別のフローチャートを参照して後述するが、ＲＢ／ＪＡＣゲーム遊技処理が１回終わると、そこでＪＡＣゲームカウンタがカウントアップされる（ステップＳ４１１）。
【０２１２】
ＪＡＣ図柄または小役図柄の組み合わせが表示された場合も同様に、それぞれステップＳ４１１またはステップＳ４１４に続いてステップＳ４１５が実行され、そこで成立フラグ（この場合は、ＪＡＣ図柄または小役図柄の当選フラグ）がＯＦＦになる。そして、毎回のゲーム終了後にビッグボーナスゲームそのものを終了すべきか否かの終了判定が行われ（ステップＳ４１６）、終了条件が満たされていない間（Ｎｏ）はステップＳ４０３に戻って次の始動処理が行われる。
【０２１３】
一般的にビッグボーナスゲームは、以下のいずれかの条件が満たされると終了する。
（１）ステップＳ４０６で、小役ゲームカウンタのカウント数が３０回に達したこと。
（２）ステップＳ４１１で、ＪＡＣゲームカウンタのカウント数が３回に達したこと。
【０２１４】
上記いずれかの条件が満たされると、ステップＳ４１６の終了判定が肯定（Ｙｅｓ）され、次にビッグボーナスゲームの終了処理が行われるとともに当り値テーブルが元に戻される（ステップＳ４１７）。
【０２１５】
（５−２．ＲＢ／ＪＡＣゲーム遊技処理：特別遊技状態）
図１８は、ＲＢ／ＪＡＣゲーム遊技処理の内容を具体的に示している。ここでは先ず、初期化処理としてＲＢ当選フラグがＯＦＦにされるとともに、ＲＢ／ＪＡＣゲーム用に乱数抽選の当り値テーブルが変更される（ステップＳ５０１）。ここで変更された当り値テーブルは通常よりもＪＡＣ図柄の当り値を多く保有しており、それだけＪＡＣ図柄の組み合わせが表示される確率が高い状態にあるといえる。
【０２１６】
次にリール装置１０の始動処理（ステップＳ５０２）および停止処理（ステップＳ５０３）が実行される。停止処理によって全リール１０ａ，１０ｂ，１０ｃが停止すると、そのときの出目がメイン制御基板９２からサブ制御基板９４に送信され（ステップＳ５０４）、そしてＲＢ／ＪＡＣゲームカウンタが１つカウントアップされる（ステップＳ５０５）。
【０２１７】
次に、全リール１０ａ，１０ｂ，１０ｃ停止時の出目が規定の図柄の組み合わせであるか否かが判断される（ステップＳ５０６）。なお、ここでの規定の図柄は通常、ＪＡＣ図柄（専用の「ＪＡＣ−ＪＡＣ−ＪＡＣ」または兼用の「リプレイ−リプレイ−リプレイ」）と同じであることが多いが、これとは別の図柄の組み合わせが表示された場合（例えば「ＢＡＲ−リプレイ−リプレイ」、「７−リプレイ−リプレイ」等）が設けられている態様であってもよい。停止時の出目がＪＡＣ図柄の組み合わせでなければ（ステップＳ５０６＝Ｎｏ）、ステップＳ５１０に進んで成立フラグがＯＦＦにされる。この場合は、抽選でハズレフラグがＯＮになっていたか、あるいは当選フラグがＯＮになっていても遊技者が図柄を組み合わせとして表示させるよう各リールを停止させることができなかったかのいずれかであると考えられる。逆に、停止時の出目がＪＡＣ図柄の組み合わせであると判断（Ｙｅｓ）されると、メイン制御基板９２はホッパ装置７８を駆動して規定枚数（例えば１５枚）のメダル払い出しを実行するとともに、払出し音コマンドをサブ制御基板９４に送信する（ステップＳ５０８）。また払い出しが行われると、その枚数分だけ払出カウンタがカウントアップされ（ステップＳ５０９）、これに続いて成立フラグがＯＦＦにされる（ステップＳ５１０）。
【０２１８】
ＲＢ／ＪＡＣゲーム遊技処理においても、１回分のＪＡＣゲーム（レギュラーボーナスゲーム）の終了判定（ステップＳ５１１）が行われる。ＪＡＣゲーム（レギュラーボーナスゲーム）中にＪＡＣ図柄の組み合わせが表示された回数が一定回数（例えば８回）に達していない間は、終了判定が否定（Ｎｏ）されてステップＳ５０２に戻り、ＪＡＣゲーム（レギュラーボーナスゲーム）が続行される。この後、ＪＡＣゲーム（レギュラーボーナスゲーム）中にＪＡＣ図柄の組み合わせが表示された回数が一定回数（例えば８回）に達すると、そこで１回のＪＡＣゲーム（レギュラーボーナスゲーム）を終了すべきものと判定（Ｙｅｓ）される。この場合、ステップＳ５１２に進んでＪＡＣゲーム（レギュラーボーナスゲーム）の終了処理が行われ、当り値テーブルが変更前の状態に戻される。
【０２１９】
（その他の実施形態についての言及）
以上は、本実施形態のスロットマシン１の一形態であるが、これに限定されることはない。以下では、上記で述べた実施形態の一部を変形した例（変形例）について述べる。なお図面、符号等については上記の実施形態のスロットマシン１と同じとする。異なる場合は適宜符号等を新たに用いて説明する。
【０２２０】
（変形例１）
図１９のリール配列を用いて、「リプレイ図柄」を右下がりテンパイ若しくは上段テンパイさせることとしてもよい。以下では、図１９のリール配列の番号と図柄を、例えば１番の「ベル図柄」と呼ぶ。図２０は、内部抽選でリプレイあるいはＢＢ（またはＲＢ）に当選となり、遊技者が変則押しを行なって「リプレイ図柄」がテンパイした状況を示している。ここでは、左リール１０ａの「リプレイ図柄」が表示窓８内の上段位置に停止することで「リプレイ図柄」が揃うテンパイラインを作っている。なお、右下がりテンパイになるか上段テンパイになるかについては、本実施形態と同様、予めどちらにするか決めておく形態や、リール停止の際に抽選等により決定する形態とすることができる。
【０２２１】
図２１は、図２０の状態で、左リール１０ａに９番の「７図柄」〜１１番の「ベル図柄」が表示窓８内に現れているときに停止操作が受け付けられた場合の出目を示している。
図２１（ａ）は「取りこぼし回避制御」が行なわれた出目、図２１（ｂ）は「擬似テンパイ制御」が行なわれていた結果の出目である。いずれの場合も１４番の「チェリー図柄」を枠上に到達するまでの位置で停止させている。この場合、「チェリー図柄」の前の「リプレイ図柄」を表示窓８内の上段位置に停止させるか、もしくは１個の図柄分ずらして中段位置に停止させるかを選択することが可能な配置となっているため実現可能となるのである。従って、「取りこぼし回避制御」も「擬似テンパイ制御」も「リプレイ図柄」が「テンパイ状態」となった態様は同じであるため、遊技者が見分ける（判断する）ことはできない。そのため、最後に左リール１０ａを停止させるまで、「リプレイ図柄」が揃うのか、それとも揃わないのかという遊技者の期待を持続させることができる。
【０２２２】
図２２は、図２０の状態で、左リール１０ａに１４番の「チェリー図柄」が現れた時点で停止操作が受け付けられた状況を示している（図２２（ａ））。図２２（ｂ）は「取りこぼし回避制御」が行なわれた出目、図２２（ｃ）は「擬似テンパイ制御」が行なわれていた結果の出目である。いずれの場合も１４番の「チェリー図柄」を少なくとも枠下まで移動させた位置で停止させている。この場合、「チェリー図柄」の後ろの「リプレイ図柄」を表示窓８内の上段位置、もしくは１個の図柄分ずらして中段位置に停止させるかを選択することが可能な配置となっているため実現可能となるのである。
【０２２３】
図２１（ｂ）または図２２（ｃ）はいずれも「リーチ目」となる出目である。つまり、変則押しをすることで、「リプレイ図柄」が「テンパイ状態」となれば、リプレイかＢＢ（またはＲＢ）かのいずれかに内部抽選の当選結果が限定されるため、遊技者にとってはどちらであっても不利とはならない。このとき遊技者は、「リプレイ図柄」が揃わないことを祈りながら、ＢＢ（またはＲＢ）に当選していることを強く願って停止操作を行なうこととなる。つまり遊技者の興趣を最大限に向上させることが可能となるのである。
【０２２４】
（変形例２）
「リプレイ図柄」を右下がりテンパイ若しくは上段テンパイさせるリール配列として、図２３のリール配列を用いてもよい。以下では、図２３のリール配列の番号と図柄を、例えば１番の「ベル図柄」と呼ぶ。図２４は、内部抽選でリプレイあるいはＢＢ（またはＲＢ）に当選となり、遊技者が変則押しを行なって「リプレイ図柄」がテンパイした状況を示している。
【０２２５】
図２５は、図２４の状態で、左リール１０ａに１番の「ベル図柄」〜３番の「Ｖ図柄」が表示窓８内に現れているときに停止操作が受け付けられた場合の出目を示している。
図２５（ａ）は「取りこぼし回避制御」が行なわれた出目、図２５（ｂ）は「擬似テンパイ制御」が行なわれていた結果の出目である。いずれの場合も５番の「チェリー図柄」を枠上に到達するまでの位置で停止させている。この場合、「チェリー図柄」の前の「リプレイ図柄」を枠上で停止させるか、若しくは表示窓８内の上段位置に停止させるかを選択することが可能な配置となっているため実現可能となるのである。従って、「取りこぼし回避制御」も「擬似テンパイ制御」も「リプレイ図柄」が「テンパイ状態」となった態様は同じであるため、遊技者が見分ける（判断する）ことはできない。そのため、最後に左リール１０ａを停止させるまで、「リプレイ図柄」が揃うのか、それとも揃わないのかという遊技者の期待を持続させることができる。
【０２２６】
図２６は、図２４の状態で、左リール１０ａに５番の「チェリー図柄」が現れた時点で停止操作が受け付けられた状況を示している（図２６（ａ））。図２６（ｂ）は「取りこぼし回避制御」が行なわれた出目、図２６（ｃ）は「擬似テンパイ制御」が行なわれていた結果の出目である。いずれの場合も５番の「チェリー図柄」を少なくとも枠下まで移動させた位置で停止させている。この場合、「チェリー図柄」の後ろの「リプレイ図柄」を枠上、若しくは表示窓８内の上段位置に停止させるかを選択することが可能な配置となっているため実現可能となるのである。
【０２２７】
図２５（ｂ）または図２６（ｃ）はいずれも「リーチ目」となる出目である。つまり、変則押しをすることで、「リプレイ図柄」が「テンパイ状態」となれば、リプレイかＢＢ（またはＲＢ）かのいずれかに内部抽選の当選結果が限定されるため、遊技者にとってはどちらであっても不利とはならない。このとき遊技者は、「リプレイ図柄」が揃わないことを祈りながら、ＢＢ（またはＲＢ）に当選していることを強く願って停止操作を行なうこととなる。つまり遊技者の興趣を最大限に向上させることが可能となるのである。
【０２２８】
（変形例３）
図２７のリール配列を用いて、「リプレイ図柄」を中段テンパイさせることとしてもよい。以下では、図２７のリール配列の番号と図柄を、例えば１番の「リプレイ図柄」と呼ぶ。図２８は、内部抽選でリプレイあるいはＢＢ（またはＲＢ）に当選となり、遊技者が変則押しを行なって「リプレイ図柄」がテンパイした状況を示している。
【０２２９】
図２９は、図２８の状態で、左リール１０ａに２０番の「リプレイ図柄」〜１番の「リプレイ図柄」が表示窓８内に現れているときに停止操作が受け付けられた場合の出目を示している。図２９（ａ）は「取りこぼし回避制御」が行なわれた出目、図２９（ｂ）は「擬似テンパイ制御」が行なわれていた結果の出目である。いずれの場合も４番の「チェリー図柄」を枠上に到達するまでの位置で停止させている。この場合、「チェリー図柄」の前の「リプレイ図柄」を表示窓８内の中段位置に停止させるか、もしくは１個の図柄分ずらして下段位置に停止させるかを選択することが可能な配置となっているため実現可能となるのである。従って、「取りこぼし回避制御」も「擬似テンパイ制御」も「リプレイ図柄」が「テンパイ状態」となった態様は同じであるため、遊技者が見分ける（判断する）ことはできない。そのため、最後に左リール１０ａを停止させるまで、「リプレイ図柄」が揃うのか、それとも揃わないのか期待を持続させることができる。
【０２３０】
図３０は、図２８の状態で、左リール１０ａに４番の「チェリー図柄」が現れた時点で停止操作が受け付けられた状況を示している（図３０（ａ））。図３０（ｂ）は「取りこぼし回避制御」が行なわれた出目、図３０（ｃ）は「擬似テンパイ制御」が行なわれていた結果の出目である。いずれの場合も４番の「チェリー図柄」を少なくとも枠下まで移動させた位置で停止させている。この場合、「チェリー図柄」の後ろの「リプレイ図柄」を表示窓８内の中段位置、もしくは１個の図柄分ずらして下段位置に停止させるかを選択することが可能な配置となっているため実現可能となるのである。
【０２３１】
図２９（ｂ）または図３０（ｃ）はいずれも「リーチ目」となる出目である。つまり、変則押しをすることで、「リプレイ図柄」が「テンパイ状態」となれば、リプレイかＢＢ（またはＲＢ）かのいずれかに内部抽選の当選結果が限定されるため、遊技者にとってはどちらであっても不利とはならない。このとき遊技者は、「リプレイ図柄」が揃わないことを祈りながら、ＢＢ（またはＲＢ）に当選していることを強く願って停止操作を行なうこととなる。つまり遊技者の興趣を最大限に向上させることが可能となるのである。
【０２３２】
（変形例４）
内部抽選の当選結果としてＢＢ（またはＲＢ）が得られた状態で、変則押しが行なわれた場合、「リプレイ図柄」を「テンパイ状態」とするか否かを選択的に決めることとしてもよい。例えば、内部抽選でＢＢに当選した場合の半分程度の割合で変則押し時に「リプレイ図柄」をテンパイさせることとする。この場合、遊技者が、変則押しだけでゲームを行なっていたとしても、出目に飽きることがない。それは、「リプレイ図柄」がテンパイするとほぼリプレイとなり、リプレイが揃わなかったときにはＢＢ（またはＲＢ）が確定する。しかし、ＢＢ（またはＲＢ）に当選しても「リプレイ図柄」がテンパイしない場合もあるため、「リプレイ図柄」がテンパイとならない出目（通常目という）であっても絶えずＢＢ（またはＲＢ）に当選したのではないかという期待が持てる。
【図面の簡単な説明】
【０２３３】
【図１】スロットマシン１の正面図である。
【図２】スロットマシン１の内部構造図である。
【図３】スロットマシン１のリールの図柄配列図である。
【図４】スロットマシン１の構成を概略的に示したブロック図である。
【図５】スロットマシン１における１ゲーム（回胴遊技）の処理手順を示したフローチャートである。
【図６】始動処理のフローチャートである。
【図７】スロットマシン１の当選役の構成表である。
【図８】リール停止処理のフローチャートである。
【図９】スロットマシン１のリール停止処理の一例（１）である。
【図１０】スロットマシン１のリール停止処理の一例（２）である。
【図１１】スロットマシン１のリール停止処理の一例（３）である。
【図１２】スロットマシン１のリプレイ当選時におけるリール停止処理の一例（１）である。
【図１３】スロットマシン１のリプレイ当選時におけるリール停止処理の一例（２）である。
【図１４】スロットマシン１のＢＢ（またはＲＢ）当選時におけるリール停止処理の一例（１）である。
【図１５】スロットマシン１のＢＢ（またはＲＢ）当選時におけるリール停止処理の一例（２）である。
【図１６】判定処理のフローチャートである。
【図１７】レギュラーボーナス／ＪＡＣゲーム遊技処理のフローチャートである。
【図１８】ビッグボーナス遊技処理のフローチャートである。
【図１９】変形例１のリール図柄配置図である。
【図２０】変形例１のリール図柄配置図を用いた場合のリール停止制御の一例（１）である。
【図２１】変形例１のリール図柄配置図を用いた場合のリール停止制御の一例（２）である。
【図２２】変形例１のリール図柄配置図を用いた場合のリール停止制御の一例（３）である。
【図２３】変形例２のリール図柄配置図である。
【図２４】変形例２のリール図柄配置図を用いた場合のリール停止制御の一例（１）である。
【図２５】変形例２のリール図柄配置図を用いた場合のリール停止制御の一例（２）である。
【図２６】変形例２のリール図柄配置図を用いた場合のリール停止制御の一例（３）である。
【図２７】変形例３のリール図柄配置図である。
【図２８】変形例３のリール図柄配置図を用いた場合のリール停止制御の一例（１）である。
【図２９】変形例３のリール図柄配置図を用いた場合のリール停止制御の一例（２）である。
【図３０】変形例３のリール図柄配置図を用いた場合のリール停止制御の一例（３）である。
【符号の説明】
【０２３４】
１    スロットマシン
４    前面扉
１０    リール装置
１２    １ベットボタン
１４    ２ベットボタン
１６    ＭＡＸベットボタン
１８    始動レバー
２０    右停止ボタン
２２    中停止ボタン
２４    右停止ボタン
２６    メダル投入口
３０    クレジット枚数表示部
３２    ゲーム数表示部
３４    払出し枚数表示部（エラー表示部）
４６    貯留精算ボタン
４８    鍵穴
５２    払出口
５４    受け皿
５８    液晶表示部
６０，６２，６４，６６    ランプ
７０    電源ユニット
７２    設定キースイッチ
７４    リセットスイッチ
７６    電源スイッチ
７８    ホッパ装置
８６    メダル満タンセンサ
９２    メイン制御基板
９４    サブ制御基板
９６    外部端子板
９８    払出しセンサ
１００    エラー解除センサ１００
【図１】
2006305015.tif 000003
【図２】
2006305015.tif 000004
【図４】
2006305015.tif 000005
【図５】
2006305015.tif 000006
【図６】
2006305015.tif 000007
【図８】
2006305015.tif 000008
【図１６】
2006305015.tif 000009
【図１７】
2006305015.tif 000010
【図１８】
2006305015.tif 000011
【図３】
2006305015.tif 000012
【図７】
2006305015.tif 000013
【図９】
2006305015.tif 000014
【図１０】
2006305015.tif 000015
【図１１】
2006305015.tif 000016
【図１２】
2006305015.tif 000017
【図１３】
2006305015.tif 000018
【図１４】
2006305015.tif 000019
【図１５】
2006305015.tif 000020
【図１９】
2006305015.tif 000021
【図２０】
2006305015.tif 000022
【図２１】
2006305015.tif 000023
【図２２】
2006305015.tif 000024
【図２３】
2006305015.tif 000025
【図２４】
2006305015.tif 000026
【図２５】
2006305015.tif 000027
【図２６】
2006305015.tif 000028
【図２７】
2006305015.tif 000029
【図２８】
2006305015.tif 000030
【図２９】
2006305015.tif 000031
【図３０】
2006305015.tif 000032